(57)【要約】  本発明は、ネットワークセキュリティー分野に属し、操作権限付与方法、操作権限付与装置、プログラム及び記録媒体に関する。前記操作権限付与方法は、ウェアラブルデバイスで採集された動作データを取得するステップと、当該動作データが検証用物理動作にマッチングする動作データであるか否かを検出するステップと、当該動作データが検証用物理動作にマッチングする動作データである場合、検証用物理動作に対応する予定操作を実行する権限を付与するステップと、を含む。本発明は、ウェアラブルデバイスで採集された動作データに従ってユーザ身元を検証することで、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。【選択図】        図２
2016541218.tif 000002
【特許請求の範囲】
【請求項１】
ウェアラブルデバイスで採集された動作データを取得するステップと、
前記動作データが検証用物理動作にマッチングする動作データであるか否かを検出するステップと、
前記動作データが検証用物理動作にマッチングする動作データである場合、前記検証用物理動作に対応する予定操作を実行する権限を付与するステップと、を含む
ことを特徴とする操作権限付与方法。
【請求項２】
前記検証用物理動作に対応する予定操作を実行する権限を付与するステップは、
前記予定操作が本装置で独立に実行される必要のある操作である場合、前記予定操作を実行する権限を付与するステップ、
及び／または、
前記予定操作がサーバーとインタラクティブに実行される必要のある操作である場合、前記ウェアラブルデバイスで権限付与パスワードを取得し、前記権利付与パスワードに基づいて、前記サーバーとインタラクティブに前記予定操作を実行するステップ、を含む
ことを特徴とする請求項１に記載の操作権限付与方法。
【請求項３】
前記ウェアラブルデバイスで権限付与パスワードを取得するステップは、
前記サーバーから暗号化された権限付与パスワードを取得し、前記暗号化された権限付与パスワードを前記ウェアラブルデバイスに送信し、前記ウェアラブルデバイスにより復号化された権限付与パスワードを取得するステップ、
或いは、
前記ウェアラブルデバイスにより独立に生成された権限付与パスワードを取得するステップ、を含む
ことを特徴とする請求項２に記載の操作権限付与方法。
【請求項４】
前記ウェアラブルデバイスで採集された動作データを取得するステップは、
予め設定された検証用物理動作が存在する場合、前記ウェアラブルデバイスで採集された動作データを、直接に取得するステップ、
或いは、
予め設定された検証用物理動作が存在しない場合、前記検証用物理動作をランダムに生成し、前記検証用物理動作をユーザに表示し、前記検証用物理動作を表示した後、前記ェアラブルデバイスで採集された動作データを取得するステップ、を含む
ことを特徴とする請求項１に記載の操作権限付与方法。
【請求項５】
さらに、少なくとも１つの前記検証用物理動作、及び各前記検証用物理動作に対応する予定操作を予め記憶するステップを含み、
各前記検証用物理動作に対応する前記予定操作が同一または異なる
ことを特徴とする請求項１〜４のいずれか１項に記載の操作権限付与方法。
【請求項６】
さらに、バインディングしたウェアラブルデバイスに既に接続されたか否かを検出するステップと、
バインディングの前記ウェアラブルデバイスに既に接続された場合、ウェアラブルデバイスで採集された動作データを取得する前記ステップを実行するステップとを、含む
ことを特徴とする請求項１〜４のいずれか１項に記載の操作権限付与方法。
【請求項７】
さらに、前記ウェアラブルデバイスとの間のバインディング関係を予め確立するステップを、含む
ことを特徴とする請求項６に記載の操作権限付与方法。
【請求項８】
前記ウェアラブルデバイスとの間のバインディング関係を予め確立するステップは、
前記ウェアラブルデバイスの別の動作データを取得し、前記別の動作データがバインディング物理動作に対応する動作データにマッチングするか否かを検出し、前記別の動作データがバインディング物理動作に対応する動作データにマッチングした場合、前記ウェアラブルデバイスとのバインディング関係を確立するステップ、
或いは、
前記ウェアラブルデバイスのＱＲコードをスキャンして前記ウェアラブルデバイスのＩＤを取得し、前記ウェアラブルデバイスのＩＤ及び当該端末のデバイスＩＤをサーバーに送信し、前記サーバーが、前記ウェアラブルデバイスのＱＲコード及び前記当該端末のデバイスＩＤに基づいて、前記ウェアラブルデバイスと当該端末との間のバインディング関係を確立するステップ、
或いは、
前記サーバーに前記ウェアラブルデバイスのＩＤ及びユーザアカウントを送信し、前記サーバーが、前記ウェアラブルデバイスのＩＤに基づいて、前記ウェアラブルデバイスと前記ユーザアカウントとをバインディングするとともに、前記ウェアラブルデバイスと前記ユーザアカウントを使用したモバイル端末との間のバインディング関係を確立するステップを含む
ことを特徴とする請求項７に記載の操作権限付与方法。
【請求項９】
動作データを採集するステップと、
前記動作データが検証用物理動作にマッチングする動作データであるか否かを検出するためのモバイル端末に前記動作データを提供し、前記動作データが前記検証用物理動作にマッチングする動作データである場合、前記検証用物理動作に対応する予定操作を実行する権限を付与するステップと、を含む
ことを特徴とする操作権限付与方法。
【請求項１０】
さらに、前記動作データが前記検証用物理動作にマッチングする動作データである場合、前記モバイル端末に権限付与パスワードを提供し、前記モバイル端末が前記権限付与パスワードに基づいて、前記予定操作を前記サーバーとインタラクティブに実行するステップを、含む
ことを特徴とする請求項９に記載の操作権限付与方法。
【請求項１１】
前記動作データが前記検証用物理動作にマッチングする動作データである場合、前記モバイル端末に権限付与パスワードを提供するステップは、
前記モバイル端末により前記サーバーから取得された暗号化された権限付与パスワードを受信し、前記暗号化された権限付与パスワードに対して復号化し、復号化された権限付与パスワードを取得し、前記復号化された権限付与パスワードを前記モバイル端末に送信するステップ、
或いは、
権限付与パスワードを生成するとともに、前記権限付与パスワードを前記モバイル端末に送信するステップ、を含む
ことを特徴とする請求項１０に記載の操作権限付与方法。
【請求項１２】
さらに、前記モバイル端末との間のバインディング関係を予め確立するステップを、含む
ことを特徴とする請求項９〜１１のいずれか１項に記載の操作権限付与方法。
【請求項１３】
前記モバイル端末との間のバインディング関係を予め確立するステップは、
別の動作データを採集するステップと、
前記モバイル端末に前記別の動作データを送信し、前記モバイル端末は、前記別の動作データがバインディング物理動作に対応する動作データにマッチングするか否かを検出し、前記別の動作データがバインディング物理動作に対応する動作データにマッチングした場合、前記ウェアラブルデバイスとのバインディング関係を確立するステップと、を含む
ことを特徴とする請求項１２に記載の操作権限付与方法。
【請求項１４】
ウェアラブルデバイスで採集された動作データを取得するためのデータ取得モジュールと、
前記動作データが検証用物理動作にマッチングする動作データであるか否かを検出するためのマッチング検出モジュールと、
前記動作データが検証用物理動作にマッチングする動作データである場合、前記検証用物理動作に対応する予定操作を実行する権限を付与するための操作実行モジュールと、を備える
ことを特徴とする操作権限付与装置。
【請求項１５】
前記操作実行モジュールは、
前記予定操作が本装置で独立に実行される必要のある操作である場合、前記予定操作を実行する権限を付与するための第１の実行サブモジュールと、
前記予定操作がサーバーとインタラクティブに実行される必要のある操作である場合、前記ウェアラブルデバイスで権限付与パスワードを取得し、前記権限付与パスワードに基づいて、前記サーバーとインタラクティブに前記予定操作を実行するための第２の実行サブモジュールと、を備える
ことを特徴とする請求項１４に記載の操作権限付与装置。
【請求項１６】
前記第２の実行サブモジュールは、
前記サーバーから暗号化された権限付与パスワードを取得し、前記暗号化された権限付与パスワードを前記ウェアラブルデバイスに送信し、前記ウェアラブルデバイスにより復号化された権限付与パスワードを取得するための第１のパスワードサブモジュール、
或いは、
前記ウェアラブルデバイスにより生成された権限付与パスワードを取得するための第２のパスワードサブモジュールを備える
ことを特徴とする請求項１５に記載の操作権限付与装置。
【請求項１７】
前記データ取得モジュールは、
予め設定された検証用物理動作が存在する場合、前記ウェアラブルデバイスで採集された動作データを、直接に取得するための第１の取得サブモジュールを備え、
或いは、
設定された検証用物理動作が存在しない場合、前記検証用物理動作をランダムに生成し、前記検証用物理動作をユーザに表示し、前記検証用物理動作を表示した後、前記ウェアラブルデバイスで採集された動作データを取得するための第２の取得サブモジュールを備える
ことを特徴とする請求項１４に記載の操作権限付与装置。
【請求項１８】
さらに、少なくとも１つの前記検証用物理動作、及び各の前記検証用物理動作に対応する前記予定操作を予め記憶するための事前記憶モジュールを備え、
各前記検証用物理動作に対応する前記予定操作が同一または異なる
ことを特徴とする請求項１４〜１７のいずれか１項に記載の操作権限付与装置。
【請求項１９】
さらに、バインディングしたウェアラブルデバイスに既に接続されたか否かを検出するためのバインディング検出モジュールを備え、
バインディングの前記ウェアラブルデバイスに既に接続された場合、前記データ取得モジュールは、ウェアラブルデバイスで採集された動作データを取得する
ことを特徴とする請求項１４〜１７のいずれか１項に記載の操作権限付与装置。
【請求項２０】
さらに、前記ウェアラブルデバイスとの間のバインディング関係を予め確立するための第１のバインディングモジュールを備える
ことを特徴とする請求項１９に記載の操作権限付与装置。
【請求項２１】
前記第１のバインディングモジュールは、
前記ウェアラブルデバイスの別の動作データを取得し、前記別の動作データがバインディング物理動作に対応する動作データにマッチングするか否かを検出し、前記別の動作データがバインディング物理動作に対応する動作データにマッチングした場合、前記ウェアラブルデバイスとのバインディング関係を確立するための第１のバインディングサブモジュール、
或いは、
前記ウェアラブルデバイスのＱＲコードをスキャンして前記ウェアラブルデバイスのＩＤを取得し、前記ウェアラブルデバイスのＩＤ及び当該端末のデバイスＩＤをサーバーに送信し、前記サーバーが、前記ウェアラブルデバイスのＱＲコード及び前記当該端末のデバイスＩＤに基づいて、前記ウェアラブルデバイスと当該端末との間のバインディング関係を確立するための第２のバインディングサブモジュール、
或いは、
前記サーバーに前記ウェアラブルデバイスのＩＤ及びユーザアカウントを送信し、前記サーバーが、前記ウェアラブルデバイスのＩＤに基づいて、前記ウェアラブルデバイスと前記ユーザアカウントとをバインディングするとともに、前記ウェアラブルデバイスと、前記ユーザアカウントを使用したモバイル端末との間のバインディング関係を確立するための第３のバインディングサブモジュール、を備える
ことを特徴とする請求項２０に記載の操作権限付与装置。
【請求項２２】
動作データを採集するためのデータ採集モジュールと、
前記動作データが検証用物理動作にマッチングする動作データであるか否かを検出するためのモバイル端末に前記動作データを提供し、前記動作データが前記検証用物理動作にマッチングする動作データである場合、前記検証用物理動作に対応する予定操作を実行する権限を付与するためのデータ提供モジュールと、を備える
ことを特徴とする操作権限付与装置。
【請求項２３】
さらに、前記動作データが前記検証用物理動作にマッチングする動作データである場合、前記モバイル端末に権限付与パスワードを提供し、前記モバイル端末が前記権限付与パスワードに基づいて、前記予定操作を前記サーバーとインタラクティブに実行するためのパスワード提供モジュールを含む
ことを特徴とする請求項２２に記載の操作権限付与装置。
【請求項２４】
前記パスワード提供モジュールは、
前記モバイル端末により前記サーバーから取得された暗号化された権限付与パスワードを受信し、前記暗号化された権限付与パスワードに対して復号化し、復号化された権限付与パスワードを取得し、前記復号化された権限付与パスワードを前記モバイル端末に送信するための第３のパスワードサブモジュール、
或いは、
権限付与パスワードを生成するとともに、前記権限付与パスワードを前記モバイル端末に送信するための第４のパスワードサブモジュールを備える
ことを特徴とする請求項２３に記載の操作権限付与装置。
【請求項２５】
さらに、前記モバイル端末との間のバインディング関係を予め確立するための第２のバインディングモジュールを備える
ことを特徴とする請求項２２〜２４のいずれか１項に記載の操作権限付与装置。
【請求項２６】
前記第２のバインディングモジュールは、
別の動作データを採集するためのデータ採集サブモジュールと、
前記モバイル端末に前記別の動作データを送信し、前記モバイル端末は、前記別の動作データがバインディング物理動作に対応する動作データにマッチングするか否かを検出し、前記別の動作データがバインディング物理動作に対応する動作データにマッチングした場合、前記ウェアラブルデバイスとのバインディング関係を確立するためのデータ送信サブモジュールと、を備える
ことを特徴とする請求項２５に記載の操作権限付与装置。
【請求項２７】
プロセッサと、
前記プロセッサの実行可能な命令を記憶するためのメモリと、を備え、
前記プロセッサは、
ウェアラブルデバイスで採集された動作データを取得し、
前記動作データが検証用物理動作に対応する動作データとをマッチングするか否かを検出し、
前記動作データが前記検証用物理動作に対応する動作データにマッチングした場合、前記検証用物理動作に対応する予定操作を実行する権限を付与する
ことを特徴とする操作権限付与装置。
【請求項２８】
動作データを採集するためのセンサと、
前記動作データが検証用物理動作にマッチングする動作データであるか否かを検出するためのモバイル端末に前記動作データを提供し、前記動作データが前記検証用物理動作にマッチングする動作データである場合、前記検証用物理動作に対応する予定操作を実行する権限を付与するための送信器と、を備える
ことを特徴とする操作権限付与装置。
【発明の詳細な説明】
【技術分野】
【０００１】
本願は、出願番号が２０１４１０５１５４０２．５であって、出願日が２０１４年９月２９日である中国特許出願に基づき優先権を主張し、当該中国特許出願のすべての内容を本願に援用する。
【０００２】
本発明は、ネットワークセキュリティー分野に属し、特に操作権限付与方法及び操作権限付与装置に関する。
【背景技術】
【０００３】
現在、モバイルインターネットが提供可能なサービスの種類は、ますます多くなっており、その中でも、多くのサービスがユーザの財産及びユーザのプライバシーに関する。
【０００４】
これらの操作を実行する時に、関連技術において、通常、携帯電話の検証コードを用いて、ユーザの身元を検証する。概ねの過程は、以下のようである。ユーザが携帯電話にてサーバーへ予定操作を申請し、サーバーが携帯電話において１つの検証画面を表示する一方、ユーザのバインディングした携帯電話へ６桁のダイナミックな権利付与用パスワードを送信し、その後、ユーザが携帯電話の受信した６位のダイナミックな権利付与用パスワードを、携帯電話において表示された検証画面に入力し、そしてサーバーにサブミットする。サーバーは、６位のダイナミックな権利付与用パスワードが正しいと検出した時に、ユーザに、携帯電話が当該予定操作を実行することを許可する。
【発明の概要】
【発明が解決しようとする課題】
【０００５】
関連技術において、ショートメッセージによりダイナミックな権利付与用パスワードを取得する操作が比較的複雑であり、且つダイナミックパスワードが漏洩するおそれがある問題を解決するために、本発明の実施例は、操作権限付与方法及び操作権限付与装置を提供し、その技術案は、次の通りである。
【課題を解決するための手段】
【０００６】
本発明に係る実施例の第１の態様によれば、モバイル端末に用いられる操作権限付与方法を提供し、前記方法は、
ウェアラブルデバイスで採集された動作データを取得するステップと、
動作データが検証用物理動作にマッチングする動作データであるか否かを検出するステップと、
動作データが検証用物理動作にマッチングする動作データである場合、検証用物理動作に対応する予定操作を実行する権限を付与するステップと、を含む。
【０００７】
一実施例において、検証用物理動作に対応する予定操作を実行する権限を付与するステップは、
予定操作が本装置で独立に実行される必要のある操作である場合、予定操作を実行する権限を付与するステップ、
及び／または、
予定操作がサーバーとインタラクティブに実行される必要のある操作である場合、ウェアラブルデバイスで権限付与パスワードを取得し、権利付与パスワードに基づいて、サーバーとインタラクティブに予定操作を実行するステップ、を含む。
【０００８】
一実施例において、ウェアラブルデバイスで権限付与パスワードを取得するステップは、
サーバーから暗号化された権限付与パスワードを取得し、暗号化された権限付与パスワードをウェアラブルデバイスに送信し、ウェアラブルデバイスにより復号化された権限付与パスワードを取得するステップ、
或いは、
ウェアラブルデバイスにより独立に生成された権限付与パスワードを取得するステップ、を含む。
【０００９】
一実施例において、ウェアラブルデバイスで採集された動作データを取得するステップは、
予め設定された検証用物理動作が存在する場合、ウェアラブルデバイスで採集された動作データを、直接に取得するステップ、
或いは、
予め設定された検証用物理動作が存在しない場合、検証用物理動作をランダムに生成し、検証用物理動作をユーザに表示し、検証用物理動作を表示した後、ェアラブルデバイスで採集された動作データを取得するステップ、を含む。
【００１０】
選択的に、当該方法は、
さらに、少なくとも１つの検証用物理動作、及び各検証用物理動作に対応する予定操作を予め記憶するステップを含み、
各検証用物理動作に対応する予定操作が同一または異なる。
【００１１】
選択的に、当該方法は、
さらに、バインディングしたウェアラブルデバイスに既に接続されたか否かを検出するステップと、
バインディングのウェアラブルデバイスに既に接続された場合、ウェアラブルデバイスで採集された動作データを取得するステップを実行するステップとを、含む。
【００１２】
選択的に、当該方法は、
さらに、ウェアラブルデバイスとの間のバインディング関係を予め確立するステップを、含む。
【００１３】
一実施例において、ウェアラブルデバイスとの間のバインディング関係を予め確立するステップは、
ウェアラブルデバイスの別の動作データを取得し、別の動作データがバインディング物理動作に対応する動作データにマッチングするか否かを検出し、別の動作データがバインディング物理動作に対応する動作データにマッチングした場合、ウェアラブルデバイスとのバインディング関係を確立するステップ、
或いは、
ウェアラブルデバイスのＱＲコードをスキャンしてウェアラブルデバイスのＩＤを取得し、ウェアラブルデバイスのＩＤ及び当該端末のデバイスＩＤをサーバーに送信し、サーバーが、ウェアラブルデバイスのＱＲコード及び当該端末のデバイスＩＤに基づいて、ウェアラブルデバイスと当該端末との間のバインディング関係を確立するステップ、
或いは、
サーバーにウェアラブルデバイスのＩＤ及びユーザアカウントを送信し、サーバーが、ウェアラブルデバイスのＩＤに基づいて、ウェアラブルデバイスとユーザアカウントとをバインディングするとともに、ウェアラブルデバイスとユーザアカウントを使用したモバイル端末との間のバインディング関係を確立するステップを含む。
【００１４】
本発明に係る実施例の第２の態様によれば、ウェアラブルデバイスに用いられる操作権限付与方法を提供し、前記方法は、
動作データを採集するステップと、
動作データが検証用物理動作にマッチングする動作データであるか否かを検出するためのモバイル端末に動作データを提供し、動作データが検証用物理動作にマッチングする動作データである場合、検証用物理動作に対応する予定操作を実行する権限を付与するステップと、を含む。
【００１５】
選択的に、当該方法は、
さらに、動作データが検証用物理動作にマッチングする動作データである場合、モバイル端末に権限付与パスワードを提供し、モバイル端末が権限付与パスワードに基づいて、予定操作をサーバーとインタラクティブに実行するステップを、含む。
【００１６】
一実施例において、動作データが検証用物理動作にマッチングする動作データである場合、モバイル端末に権限付与パスワードを提供するステップは、
モバイル端末によりサーバーから取得された暗号化された権限付与パスワードを受信し、暗号化された権限付与パスワードに対して復号化し、復号化された権限付与パスワードを取得し、復号化された権限付与パスワードをモバイル端末に送信するステップ、
或いは、
権限付与パスワードを生成するとともに、権限付与パスワードをモバイル端末に送信するステップ、を含む。
【００１７】
選択的に、当該方法は、
さらに、モバイル端末との間のバインディング関係を予め確立するステップを、含む。
【００１８】
一実施例において、モバイル端末との間のバインディング関係を予め確立するステップは、
別の動作データを採集するステップと、
モバイル端末に別の動作データを送信し、モバイル端末は、別の動作データがバインディング物理動作に対応する動作データにマッチングするか否かを検出し、別の動作データがバインディング物理動作に対応する動作データにマッチングした場合、ウェアラブルデバイスとのバインディング関係を確立するステップと、を含む。
【００１９】
本発明に係る実施例の第３の態様によれば、モバイル端末に用いられる操作権限付与装置を提供し、前記装置は、
ウェアラブルデバイスで採集された動作データを取得するためのデータ取得モジュールと、
動作データが検証用物理動作にマッチングする動作データであるか否かを検出するためのマッチング検出モジュールと、
動作データが検証用物理動作にマッチングする動作データである場合、検証用物理動作に対応する予定操作を実行する権限を付与するための操作実行モジュールと、を備える。
【００２０】
一実施例において、操作実行モジュールは、
予定操作が本装置で独立に実行される必要のある操作である場合、予定操作を実行する権限を付与するための第１の実行サブモジュールと、
予定操作がサーバーとインタラクティブに実行される必要のある操作である場合、ウェアラブルデバイスで権限付与パスワードを取得し、権限付与パスワードに基づいて、サーバーとインタラクティブに予定操作を実行するための第２の実行サブモジュールと、を備える。
【００２１】
一実施例において、第２の実行サブモジュールは、
サーバーから暗号化された権限付与パスワードを取得し、暗号化された権限付与パスワードをウェアラブルデバイスに送信し、ウェアラブルデバイスにより復号化された権限付与パスワードを取得するための第１のパスワードサブモジュール、
或いは、
ウェアラブルデバイスにより生成された権限付与パスワードを取得するための第２のパスワードサブモジュールを備える。
【００２２】
一実施例において、データ取得モジュールは、
予め設定された検証用物理動作が存在する場合、ウェアラブルデバイスで採集された動作データを、直接に取得するための第１の取得サブモジュールを備え、
或いは、
設定された検証用物理動作が存在しない場合、検証用物理動作をランダムに生成し、検証用物理動作をユーザに表示し、検証用物理動作を表示した後、ウェアラブルデバイスで採集された動作データを取得するための第２の取得サブモジュールを備える。
【００２３】
選択的に、当該装置は、
さらに、少なくとも１つの検証用物理動作、及び各の検証用物理動作に対応する予定操作を予め記憶するための事憶モジュールを備え、
各検証用物理動作に対応する予定操作が同一または異なる。
【００２４】
選択的に、当該装置は、
さらに、バインディングしたウェアラブルデバイスに既に接続されたか否かを検出するためのバインディング検出モジュールを備え、
バインディングのウェアラブルデバイスに既に接続された場合、データ取得モジュールは、ウェアラブルデバイスで採集された動作データを取得する。
【００２５】
選択的に、当該装置は、
さらに、ウェアラブルデバイスとの間のバインディング関係を予め確立するための第１のバインディングモジュールを備える。
【００２６】
一実施例において、第１のバインディングモジュールは、
ウェアラブルデバイスの別の動作データを取得し、別の動作データがバインディング物理動作に対応する動作データにマッチングするか否かを検出し、別の動作データがバインディング物理動作に対応する動作データにマッチングした場合、ウェアラブルデバイスとのバインディング関係を確立するための第１のバインディングサブモジュール、
或いは、
ウェアラブルデバイスのＱＲコードをスキャンしてウェアラブルデバイスのＩＤを取得し、ウェアラブルデバイスのＩＤ及び当該端末のデバイスＩＤをサーバーに送信し、サーバーが、ウェアラブルデバイスのＱＲコード及び当該端末のデバイスＩＤに基づいて、ウェアラブルデバイスと当該端末との間のバインディング関係を確立するための第２のバインディングサブモジュール、
或いは、
サーバーにウェアラブルデバイスのＩＤ及びユーザアカウントを送信し、サーバーが、ウェアラブルデバイスのＩＤに基づいて、ウェアラブルデバイスとユーザアカウントとをバインディングするとともに、ウェアラブルデバイスと、ユーザアカウントを使用したモバイル端末との間のバインディング関係を確立するための第３のバインディングサブモジュール、を備える。
【００２７】
本発明に係る実施例の第４の態様によれば、ウェアラブルデバイスに用いられる操作権限付与装置を提供し、前記装置は、
動作データを採集するためのデータ採集モジュールと、
動作データが検証用物理動作にマッチングする動作データであるか否かを検出するためのモバイル端末に動作データを提供し、、動作データが検証用物理動作にマッチングする動作データである場合、検証用物理動作に対応する予定操作を実行する権限を付与するためのデータ提供モジュールと、を備える。
【００２８】
選択的に、当該装置は、
さらに、動作データが検証用物理動作にマッチングする動作データである場合、モバイル端末に権限付与パスワードを提供し、モバイル端末が権限付与パスワードに基づいて、予定操作をサーバーとインタラクティブに実行するためのパスワード提供モジュールを含む。
【００２９】
一実施例において、パスワード提供モジュールは、
モバイル端末によりサーバーから取得された暗号化された権限付与パスワードを受信し、暗号化された権限付与パスワードに対して復号化し、復号化された権限付与パスワードを取得し、復号化された権限付与パスワードをモバイル端末に送信するための第３のパスワードサブモジュール、
或いは、
権限付与パスワードを生成するとともに、権限付与パスワードをモバイル端末に送信するための第４のパスワードサブモジュールを備える。
【００３０】
選択的に、当該装置は、
さらに、モバイル端末との間のバインディング関係を予め確立するための第２のバインディングモジュールを備える。
【００３１】
一実施例において、第２のバインディングモジュールは、
別の動作データを採集するためのデータ採集サブモジュールと、
モバイル端末に別の動作データを送信し、モバイル端末は、別の動作データがバインディング物理動作に対応する動作データにマッチングするか否かを検出し、別の動作データがバインディング物理動作に対応する動作データにマッチングした場合、ウェアラブルデバイスとのバインディング関係を確立するためのデータ送信サブモジュールと、を備える。
【００３２】
本発明に係る実施例の第５の態様によれば、操作権限付与装置を提供し、前記装置は、
プロセッサと、
プロセッサの実行可能な命令を記憶するためのメモリと、を備え、
プロセッサは、
ウェアラブルデバイスで採集された動作データを取得し、
動作データが検証用物理動作に対応する動作データとをマッチングするか否かを検出し、
動作データが検証用物理動作に対応する動作データにマッチングした場合、検証用物理動作に対応する予定操作を実行する権限を付与する。
【００３３】
本発明に係る実施例の第６の態様によれば、操作権限付与装置を提供し、前記装置は、
動作データを採集するためのセンサと、
動作データが検証用物理動作にマッチングする動作データであるか否かを検出するためのモバイル端末に動作データを提供し、動作データが検証用物理動作にマッチングする動作データである場合、検証用物理動作に対応する予定操作を実行する権限を付与するための送信器と、を備える。
【発明の効果】
【００３４】
本発明に係る実施例に提供された技術案において、以下の有益な効果を果たすことができる。
【００３５】
ウェアラブルデバイスで採集された動作データを取得することにより、当該動作データが検証用物理動作に対応する動作データにマッチングするか否かを検出し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【００３６】
以上の一般的な記述及び以下の詳細な記述は、例示のものに過ぎず、本開示を限定するものではないと理解すべきである。
【図面の簡単な説明】
【００３７】
ここでの図面は、明細書の一部分として明細書全体を構成することにより、本開示に合致する実施例を例示するとともに、本開示の原理を解釈するためのものである。
【図１】本発明の各実施例に係る操作権限付与方法の実施環境の構成を模式的に示す図である。
【図２】一例示的な実施例に係る操作権限付与方法を示すフローチャートである。
【図３】別の例示的な実施例に係る操作権限付与方法を示すフローチャートである。
【図４Ａ】他の例示的な実施例に係る操作権限付与方法を示すフローチャートである。
【図４Ｂ】他の例示的な実施例に係る操作権限付与方法の１つの画面を模式的に示す図である。
【図４Ｃ】他の例示的な実施例に係る操作権限付与方法のもう１つの画面を模式的に示す図である。
【図４Ｄ】他の例示的な実施例に係る操作権限付与方法の１つの画面を模式的に示す図である。
【図４Ｅ】他の例示的な実施例に係る操作権限付与方法のもう１つのインターフェースを模式的に示す図である。
【図４Ｆ】他の例示的な実施例に係る操作権限付与方法のさらにもう１つのインターフェースを模式的に示す図である。
【図５】さらに別の例示的な実施例に係る操作権限付与方法を示すフローチャートである。
【図６】例示的な実施例に係る操作権限付与装置を示すブロック図である。
【図７】別の例示的な実施例に係る操作権限付与装置を示すブロック図である。
【図８】他の例示的な実施例に係る操作権限付与装置を示すブロック図である。
【図９】さらに別の例示的な実施例に係る操作権限付与装置を示すブロック図である。
【図１０】例示的な実施例に係る操作権限付与装置を示すブロック図である。
【図１１】別の例示的な実施例に係る操作権限付与装置を示すブロック図である。
【００３８】
以上の図面を通じて、本発明の実施例を例示したが、以下、より詳細に説明する。これらの図面及び文字記載は、本発明の趣旨の範囲を限定するためのものではなく、特定の実施例を参照として、当業者に本発明のコンセプトを理解させるためのものである。
【発明を実施するための形態】
【００３９】
ここで、例示的な実施例を詳細に説明し、また、説明中の例を図面に示している。以下の記述において、図面を説明する際に、特に、説明しない場合、異なる図面中の同一の符号は、同一、或は、同様な要素を意味する。以下の例示的な実施例において記述する実施方法は、本発明に合致するすべての実施方法を代表しない。逆に、それらは、添付の特許要請の範囲において詳細に記述された、本発明のいくつかの態様と合致する装置、及び方法の例に過ぎない。
【００４０】
図１に示すように、本発明の各実施例に係る操作権限付与方法の実施環境の構成を模式的に示す。当該実施環境は、ウェアラブルデバイス１２０、モバイル端末１４０及びサーバー１６０を備える。
【００４１】
その中、ウェアラブルデバイス１２０は、無線接続でモバイル端末１４０と接続することができる。無線接続は、ブルートゥース（Ｂｌｕｅｔｏｏｔｈ）接続及びＷｉＦｉ（ｗｉｒｅｌｅｓｓ ｆｉｄｅｌｉｔｙ）接続であってもよい。
【００４２】
ウェアラブルデバイス１２０は、動作データを採集するとともに、動作データをモバイル端末１４０に送信することができる電子機器である。実際の実現において、当該ウェアラブルデバイス１２０は、スマート腕輪、スマートウォッチ、スマートブレスレット、スマートネックレス、スマートリングまたはスマート眼鏡であってもよい。ウェアラブルデバイス１２０において、動作データを採集するために用いられるセンサを設定し、当該センサは、重力加速度センサ、ジャイロセンサ等であってもよい。
【００４３】
モバイル端末１４０は、無線接続でサーバー１６０と接続することができる。モバイル端末１４０は、例えば、スマートフォン、タブレットＰＣ、電子書籍リーダーまたはノートパソコンのような電子機器であってもよい。
【００４４】
サーバー１６０は、１つのサーバー、複数のサーバーからなるサーバー群、または１つのクラウドコンピューティング・サービスセンターであってもよい。
【００４５】
説明すべきことは、本発明の各実施例に係る動作データが、ウェアラブルデバイスで採集された物理動作に対応するデータであり、物理動作は、ウェアラブルデバイスを１回叩き、ウェアラブルデバイスを２回叩き、ウェアラブルデバイスを１回振り、ウェアラブルデバイスを２回振り、ウェアラブルデバイスを持って１つの三角形を描き、ウェアラブルデバイスで１つの矩形を描き、ウェアラブルデバイスで１つの多角形を描くことなどであってもよい。
【００４６】
予定操作は、端末に対して実行される、ユーザのネットワーク財産及び／またはユーザのプライバシー情報に関する操作である。予定操作は、本装置に対して独立に実行される必要のある予定操作、及びサーバーとインタラクティブに実行される必要のある予定操作という２つの種類に分けられる。
【００４７】
本装置に対して独立に実行される必要のある予定操作は、モバイル端末上のプライバシーショートメッセージを確認する操作、モバイル端末上の通話明細を確認する操作、モバイル端末の地理位置を確認する操作、モバイル端末の暗号化されたアプリケーションを開く操作、モバイル端末におけるシステムの設定を変更する操作などを含む。
【００４８】
サーバーとインタラクティブに実行される必要のある予定操作は、サーバーとインタラクティブに実行される支払い操作、サーバーとインタラクティブに実行される振替操作、サーバーとインタラクティブに実行される検証操作、サーバーとインタラクティブに実行される登録操作、サーバーとインタラクティブに実行されるクラウド情報を確認する操作などを含む。
【００４９】
図２は、例示的な実施例に係る操作権限付与方法を示すフローチャートであり、当該実施例では、当該操作権限付与方法を図１に示した実施環境におけるモバイル端末１４０側に適用した例を挙げて説明し、図２に示すように、当該操作権限付与方法は、以下のステップを含む。
【００５０】
ステップ２０２において、ウェアラブルデバイスで採集された動作データを取得する。
【００５１】
ステップ２０４において、当該動作データが検証用物理動作にマッチングする動作データであるか否かを検出する。
【００５２】
ステップ２０６において、当該動作データが検証用物理動作にマッチングする動作データである場合、検証用物理動作に対応する予定操作を実行する権限を付与する。
【００５３】
上記をまとめて、当該実施例に係る操作権限付与方法は、ウェアラブルデバイスで採集された動作データを取得することにより、当該動作データが検証用物理動作にマッチングする動作データであるか否かを検出し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【００５４】
図３は、別の例示的な実施例に係る操作権限付与方法を示すフローチャートであり、当該実施例では、当該操作権限付与方法を図１に示した実施環境におけるウェアラブルデバイス１２０側に適用した例を挙げて説明し、図３に示すように、当該操作権限付与方法は、以下のステップを含む。
【００５５】
ステップ３０２において、動作データを採集する。
【００５６】
ステップ３０４において、当該動作データが検証用物理動作にマッチングする動作データであるか否かを検出するためのモバイル端末に動作データを提供し、当該動作データが検証用物理動作にマッチングする動作データである場合、検証用物理動作に対応する予定操作を実行する権限を付与する。
【００５７】
上記をまとめて、当該実施例に係る操作権限付与方法は、動作データを採集することにより、当該動作データが検証用物理動作にマッチングする動作データであるか否かを検出するためのモバイル端末に動作データを提供し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【００５８】
図４Ａは、他の例示的な実施例に係る操作権限付与方法を示すフローチャートであり、当該実施例では、当該操作権限付与方法を図１に示した実施環境におけるウェアラブルデバイス１２０及びモバイル端末１４０に適用し、且つ予定操作が本装置のプライバシー写真を確認するための操作を例に挙げて説明し、図４Ａに示すように、当該操作権限付与方法は、以下のステップを含む。
【００５９】
ステップ４０１において、モバイル端末が少なくとも１つの検証用物理動作、及び各検証用物理動作に対応する予定操作を予め記憶し、各検証用物理動作に対応する予定操作が同一または異なる。
【００６０】
例えば、ウェアラブルデバイスを１回振ることが１つの検証用物理動作であると記憶し、当該検証用物理動作がモバイル端末におけるプライバシーショートメッセージを確認する操作に対応付けられ、ウェアラブルデバイスを２回振ることが別の１つの検証用物理動作であると記憶し、当該検証用物理動作がモバイル端末における通話明細を確認する操作に対応付けられ、また、ウェアラブルデバイスを３回振ることが１つの検証用物理動作であると記憶し、当該検証用物理動作がモバイル端末におけるプライバシーショートメッセージを確認する操作に対応付けられるとともに、モバイル端末における通話明細を確認する操作にも対応付けられる。
【００６１】
ステップ４０２において、モバイル端末がバインディングしたウェアラブルデバイスに既に接続されたか否かを検出する。
【００６２】
モバイル端末は、ウェアラブルデバイスとの間にバインディング関係を予め確立してもよい。一般的に、モバイル端末は、バインディングしたウェアラブルデバイスとのみを接続し、バインディングしていないウェアラブルデバイスと接続しない。
【００６３】
モバイル端末は、現在、バインディングしたウェアラブルデバイスに既に接続されたか否かを検出することができる。
【００６４】
当該実施例において、予定操作が本装置のプライバシー写真を確認するための操作を例に挙げて説明し、ユーザがモバイル端末におけるプライバシー写真を確認する操作をトリガーする時に、モバイル端末が現在バインディングしたウェアラブルデバイスに既に接続されたか否かを検出する。
【００６５】
ステップ４０３において、バインディングしたウェアラブルデバイスに既に接続された場合、モバイル端末は、ウェアラブルデバイスで採集された動作データを取得する。
【００６６】
第１の実現可能な形態として、当該ステップ４０３は、以下のサブステップを含むが、これに限らない。
【００６７】
一、予め設定された検証用物理動作が存在する場合、モバイル端末は、ウェアラブルデバイスで採集された動作データを、直接に取得する。
【００６８】
ユーザがモバイル端末において当該予定操作に対応する検証用物理動作を予め設定した（当該実施例において、検証用物理動作は、ユーザがウェアラブルデバイスを３回叩くことを例とする）時に、モバイル端末の画面４０において、ユーザに当該検証用物理動作を入力させるように、図４Ｂに示したダイアログボックス４１を表示する。ユーザは、直接にウェアラブルデバイスを３回叩く。ウェアラブルデバイスは、採集したウェアラブルデバイスを３回叩く操作の動作データを、モバイル端末に送信する。モバイル端末は、ウェアラブルデバイスで採集された動作データを取得する。ここで、「直接に取得する」とは、モバイル端末が、ユーザに実行する必要な検証用物理動作の動作内容についてプロンプトメッセージを出力しなくてもよい。
【００６９】
説明すべきことは、異なる予定操作が異なる検証用物理動作に対応付けられてもよく、各予定操作に対応付けられた検証用物理動作は、モバイル端末によるデフォルト設定またはユーザによる手動設定で決められてもよい。
【００７０】
第２の実現可能な形態として、当該ステップ４０３は、以下のサブステップを含むが、これらに限らない。
【００７１】
一、予め設定した検証用物理動作が存在しない場合、モバイル端末が検証用物理動作をランダムに生成する。
【００７２】
ユーザまたはモバイル端末が当該予定操作に対応する検証用物理動作を予め設定していない時に、モバイル端末から１つの検証用物理動作をランダムに生成し、例えば、予め設定した物理動作ライブラリーから１つの物理動作をランダムに選択する。
【００７３】
当該実現形態において、ランダムに生成された検証用物理動作がウェアラブルデバイスを１回振る操作を例にして説明する。
【００７４】
二、モバイル端末は、ユーザに検証用物理動作を知らせる。
【００７５】
図４Ｃに示すように、モバイル端末の画面４０において１つのランダムに生成された検証用物理動作の領域４２が表示され、当該領域４２において、ランダムに生成された当該検証用物理動作がウェアラブルデバイスを１回振ることであると、ユーザに知らせるとともに、モバイル端末の画面４０において、ランダムに生成されたユーザに当該検証用物理動作を入力させるように、１つのダイアログボックス４３を表示する。
【００７６】
三、検証用物理動作を知らせた後、モバイル端末がウェアラブルデバイスで採集された動作データを取得する。
【００７７】
検証用物理動作を知らせた後、ユーザは、モバイル端末からのランダムに生成された検証用物理動作に従って、ウェアラブルデバイスを１回振る。ウェアラブルデバイスは、採集したウェアラブルデバイスを１回振る操作の動作データを、モバイル端末に送信する。モバイル端末は、ウェアラブルデバイスで採集された動作データを取得する。
【００７８】
説明すべきことは、ある予定操作を実行する必要がある場合、モバイル端末は、予め設定した当該予定操作に対応する検証物理操作が存在するか否かを検出することができ、存在した場合、第１の実現形態を選択して当該ステップを実行し、存在していない場合、第２の実現形態を選択して当該ステップを実行する。
【００７９】
説明すべきことは、バインディングしたウェアラブルデバイスに接続されていない場合、モバイル端末とバインディングしたウェアラブルデバイスとの接続を先ず確立する必要があり、その後、上記ステップ４０３を実行する。
【００８０】
ステップ４０４において、モバイル端末は、当該動作データが検証用物理動作にマッチングする動作データであるか否かを検出する。
【００８１】
モバイル端末がウェアラブルデバイスで採集された動作データを取得した後、モバイル端末は、当該動作データが検証用物理動作にマッチングする動作データであるか否かを検出する。
【００８２】
ステップ４０５において、当該動作データが検証用物理動作にマッチングする動作データである場合、検証用物理動作に対応する予定操作を実行する権限を付与する。
【００８３】
当該実施例において、当該動作データが検証用物理動作にマッチングする動作データであり、且つ予定操作が本装置で独立に実行される必要のある本装置のプライバシー写真を確認する操作であり、このため、モバイル端末は、検証用物理動作に対応する予定操作を実行する権限を付与することができる。すなわち、モバイル端末は、ユーザが本装置のプライバシー写真を確認することを許可する。
【００８４】
上記をまとめて、当該実施例に係る操作権限付与方法は、ウェアラブルデバイスで採集された動作データを取得することにより、当該動作データが検証用物理動作にマッチングする動作データであるか否かを検出し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【００８５】
説明すべきことは、ウェアラブルデバイスとモバイル端末とを接続する前に、ウェアラブルデバイスとモバイル端末との間のバインディング関係を予め確立する必要がある。
【００８６】
本発明を実現する過程において、ウェアラブルデバイスとモバイル端末との間のバインディング関係を確立する手段は、以下の３つの手段のいずれか１つであってもよい。
【００８７】
１つ目の手段において、図４Ｄに示すように、モバイル端末は、１つのバインディング物理動作を予めランダムに設定し、モバイル端末の画面４０における領域４２に当該バインディング物理動作を表示し、ユーザが当該バインディング物理動作に基づいてウェアラブルデバイスを操作し、ウェアラブルデバイスは、ユーザにより生成された動作データを採集するとともに、当該動作データをモバイル端末に送信し、モバイル端末がウェアラブルデバイスで採集された動作データを取得し、モバイル端末は、当該動作データがバインディング物理動作にマッチングする動作データであるか否かを検出し、当該動作データがバインディング物理動作にマッチングする動作データである場合、モバイル端末がウェアラブルデバイスとのバインディング関係を確立し、モバイル端末の画面４０上のプロンプトボックス４４において、当該ウェアラブルデバイスがバインディングされたと、ユーザに知らせる。
【００８８】
２つ目の手段において、図４Ｅに示すように、ウェアラブルデバイスの外殻またはパッケージに１つのＱＲコードを予め設定されてもよく、当該ＱＲコードは、ウェアラブルデバイスのＩＤに対応する。モバイル端末は、ウェアラブルデバイスのＱＲコードをスキャンするとともに、モバイル端末の画面４０上の領域４２において得られたウェアラブルデバイスのＩＤを表示することができ、モバイル端末は、ウェアラブルデバイスのＩＤ及びモバイル端末自体のデバイスＩＤをサーバーに送信し、サーバーは、ウェアラブルデバイスのＩＤ及びモバイル端末自体のデバイスＩＤに基づいて、ウェアラブルデバイスとモバイル端末との間のバインディング関係を確立し、最後、モバイル端末の画面４０におけるプロンプトボックス４４内に、当該ウェアラブルデバイスがバインディングされたと、ユーザに知らせる。
【００８９】
３つ目の手段において、図４Ｆに示すように、ユーザは、モバイル端末の画面４０上の領域４２においてウェアラブルデバイスのＩＤ及びユーザアカウントを入力し、モバイル端末は、サーバーに当該ウェアラブルデバイスのＩＤ及びユーザアカウントを送信し、サーバーは、ウェアラブルデバイスのＩＤに基づいて、ウェアラブルデバイスとユーザアカウントとをバインディングするとともに、ウェアラブルデバイスと、当該ユーザアカウントを使用したモバイル端末との間のバインディング関係を確立し、最後、モバイル端末の画面４０上のプロンプトボックス４４内に、当該ウェアラブルデバイスがバインディングされたと、ユーザに知らせる。
【００９０】
当該実施例において、1つ目の手段を採用してウェアラブルデバイスとモバイル端末との間のバインディング関係を確立してもよい。
【００９１】
図５は、さらに他の例示的な実施例に係る操作権限付与方法を示すフローチャートであり、当該実施例では、当該操作権限付与方法を図１に示した実施環境におけるウェアラブルデバイス１２０及びモバイル端末１４０に適用し、且つ予定操作がサーバーとインタラクティブに実行される支払い操作である例を挙げて説明し、図５に示すように、当該操作権限付与方法は、以下のステップを含む。
【００９２】
ステップ５０１において、モバイル端末が少なくとも１つの検証用物理動作、及び各検証用物理動作に対応する予定操作を予め記憶し、各検証用物理動作に対応する予定操作が同一または異なる。
【００９３】
例えば、ウェアラブルデバイスを１回振ることが１つの検証用物理動作であると記憶し、当該検証用物理動作がモバイル端末におけるプライバシーショートメッセージを確認する操作に対応付けられ、ウェアラブルデバイスを２回振ることが別の１つの検証用物理動作であると記憶し、当該検証用物理動作がモバイル端末における通話明細を確認する操作に対応付けられ、また、ウェアラブルデバイスを３回振ることが１つの検証用物理動作であると記憶し、当該検証用物理動作がモバイル端末におけるプライバシーショートメッセージを確認する操作に対応付けられるとともに、モバイル端末における通話明細を確認する操作にも対応付けられる。
【００９４】
ステップ５０２において、モバイル端末がバインディングしたウェアラブルデバイスに既に接続されたか否かを検出する。
【００９５】
モバイル端末は、ウェアラブルデバイスとの間にバインディング関係を予め確立してもよい。一般的に、モバイル端末は、バインディングしたウェアラブルデバイスとのみを接続し、バインディングしていないウェアラブルデバイスと接続しない。
【００９６】
モバイル端末は、現在、バインディングしたウェアラブルデバイスに既に接続されたか否かを検出することができる。
【００９７】
当該実施例において、予定操作が本装置のプライバシー写真を確認するための操作を例に挙げて説明し、ユーザがモバイル端末におけるプライバシー写真を確認する操作をトリガーする時に、モバイル端末が現在バインディングしたウェアラブルデバイスに既に接続されたか否かを検出する。
【００９８】
ステップ５０３において、バインディングしたウェアラブルデバイスに既に接続された場合、モバイル端末は、ウェアラブルデバイスで採集された動作データを取得する。
第１の実現可能な形態として、当該ステップ５０３は、以下のサブステップを含むが、これに限らない。
【００９９】
一、予め設定された検証用物理動作が存在する場合、モバイル端末は、ウェアラブルデバイスで採集された動作データを、直接に取得する。
【０１００】
ユーザがモバイル端末において当該予定操作に対応する検証用物理動作を予め設定した（当該実施例において、検証用物理動作は、ユーザがウェアラブルデバイスを３回叩くことを例とする）時に、モバイル端末の画面において、ユーザに当該検証用物理動作を入力させることを知らせる。ユーザは、直接にウェアラブルデバイスを３回叩く。ウェアラブルデバイスは、採集したウェアラブルデバイスを３回叩く操作の動作データを、モバイル端末に送信する。モバイル端末は、ウェアラブルデバイスで採集された動作データを取得する。ここで、「直接に取得する」とは、モバイル端末が、ユーザに実行する必要な検証用物理動作の動作内容についてプロンプトメッセージを出力しなくてもよい。
【０１０１】
説明すべきことは、異なる予定操作が異なる検証用物理動作に対応付けられてもよく、各予定操作に対応付けられた検証用物理動作は、モバイル端末によるデフォルト設定またはユーザによる手動設定で決められてもよい。
【０１０２】
第２の実現可能な形態として、当該ステップ５０３は、以下のサブステップを含むが、これらに限らない。
【０１０３】
一、予め設定した検証用物理動作が存在しない場合、モバイル端末が検証用物理動作をランダムに生成する。
【０１０４】
ユーザまたはモバイル端末が当該予定操作に対応する検証用物理動作を予め設定していない時に、モバイル端末から１つの検証用物理動作をランダムに生成し、例えば、予め設定した物理動作ライブラリーから１つの物理動作をランダムに選択する。
【０１０５】
当該実現形態において、ランダムに生成された検証用物理動作がウェアラブルデバイスを１回振る操作を例にして説明する。
【０１０６】
二、モバイル端末は、ユーザに検証用物理動作を知らせる。
【０１０７】
モバイル端末の画面において、ランダムに生成された検証用物理動作がウェアラブルデバイスを１回振ることをユーザに知らせるとともに、ユーザにランダムに生成された当該検証用物理動作を入力させることを知らせる。
【０１０８】
三、検証用物理動作を知らせた後、モバイル端末がウェアラブルデバイスで採集された動作データを取得する。
【０１０９】
検証用物理動作を知らせた後、ユーザは、モバイル端末からのランダムに生成された検証用物理動作に従って、ウェアラブルデバイスを１回振る。ウェアラブルデバイスは、採集したウェアラブルデバイスを１回振る操作の動作データを、モバイル端末に送信する。モバイル端末は、ウェアラブルデバイスで採集された動作データを取得する。
【０１１０】
説明すべきことは、ある予定操作を実行する必要がある場合、モバイル端末は、予め設定した当該予定操作に対応する検証物理操作が存在するか否かを検出することができ、存在した場合、第１の実現形態を選択して当該ステップを実行し、存在していない場合、第２の実現形態を選択して当該ステップを実行する。
【０１１１】
説明すべきことは、バインディングしたウェアラブルデバイスに接続されていない場合、モバイル端末とバインディングしたウェアラブルデバイスとの接続を先ず確立する必要があり、その後、上記ステップ５０３を実行する。
【０１１２】
ステップ５０４において、モバイル端末は、当該動作データが検証用物理動作にマッチングする動作データであるか否かを検出する。
【０１１３】
モバイル端末がウェアラブルデバイスで採集された動作データを取得した後、モバイル端末は、当該動作データが検証用物理動作にマッチングする動作データであるか否かを検出する。
【０１１４】
ステップ５０５において、当該動作データが検証用物理動作にマッチングする動作データである場合、ウェアラブルデバイスにより権限付与パスワードを取得する。
【０１１５】
当該実施例において、当該動作データが検証用物理動作にマッチングする動作データであり、且つ予定操作がサーバーとインタラクティブに実行される必要のある支払い操作である。このため、モバイル端末がウェアラブルデバイスにより権限付与パスワードを取得してもよい。
【０１１６】
第１の実現可能な形態として、当該ステップ５０５は、以下のサブステップを含むが、これらに限らない。
【０１１７】
一、モバイル端末は、サーバーから暗号化された権限付与パスワードを取得する。
【０１１８】
サーバーは、秘密鍵により暗号化された権限付与パスワードを生成し、モバイル端末は、サーバーから暗号化された権限付与パスワードを取得する。
【０１１９】
二、モバイル端末は、暗号化された権限付与パスワードをウェアラブルデバイスに送信する。
【０１２０】
モバイル端末は、当該暗号化された権限付与パスワードをウェアラブルデバイスに送信し、ウェアラブルデバイスは、秘密鍵を復号することにより、復号化された権限付与パスワードを取得するとともに、当該復号化された権限付与パスワードをモバイル端末に送信する。
【０１２１】
三、モバイル端末は、ウェアラブルデバイスで復号化された権限付与パスワードを取得する。
【０１２２】
第２の実現可能な形態として、当該ステップ５０５は、以下のサブステップを含むが、これらに限らない。
【０１２３】
一、モバイル端末は、ウェアラブルデバイスで生成された権限付与パスワードを取得する。
【０１２４】
当該動作データが検証用物理動作にマッチングする動作データである時に、モバイル端末がウェアラブルデバイスに１つの検証成功の指示を送信することができる。ウェアラブルデバイスが検証成功の指示を受信した後、所定プログラムにより１つの権限付与パスワードを生成し、その後、当該権限付与パスワードをモバイル端末に送信する。
【０１２５】
説明すべきことは、ウェアラブルデバイスで権限付与パスワードを取得する時に、権限付与パスワードがサーバーにより生成される必要となる場合、第１の実現形態を選択して当該ステップを実行し、権限付与パスワードがサーバーにより生成される必要のない場合、第２の実現形態を選択して当該ステップを実行する。
【０１２６】
ステップ５０６において、権限付与パスワードに従って、サーバーとインタラクティブに当該予定操作を実行する。
【０１２７】
モバイル端末は、ウェアラブルデバイスから権限付与パスワードを取得した後、当該権限付与パスワード、及びサーバーとインタラクティブに実行される必要のある支払い操作の要請をサーバーに送信する。サーバーは、当該権限付与パスワードが正しいか否かを検出し、当該権限付与パスワードが正しい場合、当該支払い操作を実行することを許可し、当該権限付与パスワードが正しくない場合、当該支払い操作を実行することを禁止する。
【０１２８】
上記をまとめて、当該実施例に係る操作権限付与方法は、ウェアラブルデバイスで採集された動作データを取得することにより、当該動作データが検証用物理動作にマッチングする動作データであるか否かを検出し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【０１２９】
当該実施例に係る操作権限付与方法は、またウェアラブルデバイスで権限付与パスワードを取得し、権限付与パスワードが漏洩しにくい効果を奏し、また、ウェアラブルデバイスが権限付与パスワードを取得するプロセスに関与することで、ユーザがモバイルインターネットを使用するセキュリティーを向上させる。
【０１３０】
説明すべきことは、ウェアラブルデバイスとモバイル端末とを接続する前に、ウェアラブルデバイスとモバイル端末との間のバインディング関係を予め確立する必要がある。
【０１３１】
本発明を実現する過程において、ウェアラブルデバイスとモバイル端末との間のバインディング関係を確立する手段は、上記実施例を参照することができ、当該実施例において繰り返し説明しない。
【０１３２】
当該実施例において、1つ目の手段を採用してウェアラブルデバイスとモバイル端末との間のバインディング関係を確立してもよい。
【０１３３】
補足して説明すべきことは、ステップ５０４において予定操作に対応する検証用物理動作は、ユーザにより予め設定されたものであってもよい。即ち、ステップ５０４の前に、モバイル端末は、さらに、以下のステップを含む。
【０１３４】
一、モバイル端末は、ユーザの設定命令を受信し、当該設定命令は、ある予定操作に対応する検証用物理動作を設定するために用いられる。
【０１３５】
例えば、モバイル端末が１０個の候補の検証用物理動作を表示し、その後、ユーザは、その中から１つの検証用物理動作を選択して、ある予定操作に対応する検証用物理動作とする。
【０１３６】
二、モバイル端末が予定操作と検証用物理動作との対応関係を記憶する。
【０１３７】
異なる予定操作は、異なる検証用物理動作に対応することができ、１つの予定操作は、複数の検証用物理動作に対応することができ、１つの検証用物理動作は、複数の予定操作に対応することができる。
【０１３８】
さらに、補足して説明すべきなことは、モバイル端末は、既にバインディングしたウェアラブルデバイスとのバインディングを解除してもよく、上記実施例における３つのバインディング関係を確立する手段に対応して、さらに、３つのバインディングを解除する手段を含み、それぞれ、以下のようである。
【０１３９】
１つ目の手段において、ウェアラブルデバイスが別の動作データを取得するとともに、当該別の動作データをモバイル端末に送信し、モバイル端末は、当該別の動作データが、バインディングを解除する物理動作に対応する動作データにマッチングするか否かを検出し、当該別の動作データがバインディングを解除する物理動作に対応する動作データにマッチングした場合、モバイル端末がウェアラブルデバイスとのバインディング関係を解除する。当該バインディングを解除する物理動作は、バインディング物理動作が設定された後に設定されてもよい。注意すべきことは、当該バインディングを解除する物理動作が成功に設定されると、変更することができない。
【０１４０】
２つ目の手段において、ウェアラブルデバイスの外殻またはパッケージの上に１つのＱＲコードを予め設定されてもよく、当該ＱＲコードは、ウェアラブルデバイスのＩＤに対応する。モバイル端末は、ウェアラブルデバイスのＱＲコードを再度スキャンするとともに、ウェアラブルデバイスのＩＤを得ることができ、モバイル端末は、ウェアラブルデバイスのＩＤ及びモバイル端末自体のデバイスＩＤの含まれるバインディングを解除する要請を、サーバーに送信し、サーバーは、ウェアラブルデバイスのＩＤ及びモバイル端末自体のデバイスＩＤに基づいて、ウェアラブルデバイスとモバイル端末との間のバインディング関係を解除する。
【０１４１】
３つ目の手段において、ユーザは、モバイル端末の画面においてウェアラブルデバイスのＩＤ及びユーザアカウントを再度入力し、モバイル端末は、サーバーに当該ウェアラブルデバイスのＩＤ及びユーザアカウントの含まれるバインディングを解除する要請を送信し、サーバーは、ウェアラブルデバイスのＩＤに基づいて、ウェアラブルデバイスとユーザアカウントとのバインディングを解除するととみに、ウェアラブルデバイスと、当該ユーザアカウントを使用したモバイル端末との間のバインディング関係を解除する。
【０１４２】
以下は、本発明に係る装置の実施例であり、本発明の方法の実施例を実行することに用いられる。本発明に係る装置の実施例に記載されていない詳細は、本発明に係る方法の実施例を参照するとよい。
【０１４３】
図６は、例示的な実施例に係る操作権限付与装置を示すブロック図であり、図６に示すように、当該操作権限付与装置は、ソフトウェア、ハードウェアまたは両方の組み合わせにより、図１に示すモバイル端末の全部または一部になるように実現することができ、当該装置は、
ウェアラブルデバイスで採集された動作データを取得するためのデータ取得モジュール６２０と、
当該動作データが検証用物理動作にマッチングする動作データであるか否かを検出するためのマッチング検出モジュール６４０と、
当該動作データが検証用物理動作にマッチングする動作データである場合、検証用物理動作に対応する予定操作を実行する権限を付与するための操作実行モジュール６６０と、を備える。
【０１４４】
上記をまとめて、当該実施例に係る操作権限付与装置は、ウェアラブルデバイスで採集された動作データを取得することにより、当該動作データが検証用物理動作にマッチングする動作データであるか否かを検出し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【０１４５】
図７は、別の例示的な実施例に係る操作権限付与装置を示すブロック図であり、図７に示すように、当該操作権限付与装置は、ソフトウェア、ハードウェアまたは両方の組み合わせにより、図１に示すウェアラブルデバイスの全部または一部になるように実現することができ、当該装置は、
動作データを採集するためのデータ採集モジュール７２０と、
当該動作データが検証用物理動作にマッチングする動作データであるか否かを検出するためのモバイル端末に動作データを提供し、当該動作データが検証用物理動作にマッチングする動作データである場合、検証用物理動作に対応する予定操作を実行する権限を付与するためのデータ提供モジュール７４０と、を備える。
【０１４６】
上記をまとめて、当該実施例に係る操作権限付与装置は、動作データを採集することにより、当該動作データが検証用物理動作にマッチングする動作データであるか否かを検出するためのモバイル端末に動作データを提供し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【０１４７】
図８は、他の例示的な実施例に係る操作権限付与装置を示すブロック図であり、図８に示すように、当該操作権限付与装置は、ソフトウェア、ハードウェアまたは両方の組み合わせにより、図１に示すモバイル端末の全部または一部になるように実現することができ、当該装置は、
ウェアラブルデバイスで採集された動作データを取得するためのデータ取得モジュール８１０と、
動作データが検証用物理動作にマッチングする動作データであるか否かを検出するためのマッチング検出モジュール８２０と、
動作データが検証用物理動作にマッチングする動作データである場合、検証用物理動作に対応する予定操作を実行する権限を付与するための操作実行モジュール８３０と、を備える。
【０１４８】
選択的に、操作実行モジュール８３０は、
予定操作が本装置で独立に実行される必要のある予定操作である場合、予定操作を直接に実行するための第１の実行サブモジュール８３１と、
予定操作がサーバーとインタラクティブに実行される必要のある予定操作である場合、ウェアラブルデバイスで権限付与パスワードを取得し、権限付与パスワードに基づいて、サーバーとインタラクティブに予定操作を実行するための第２の実行サブモジュール８３３と、を備える。
【０１４９】
選択的に、第２の実行サブモジュール８３３は、
サーバーから暗号化された権限付与パスワードを取得し、暗号化された権限付与パスワードをウェアラブルデバイスに送信し、ウェアラブルデバイスにより復号化された権限付与パスワードを取得するための第１のパスワードサブモジュール８３３１を備え、
或いは、
ウェアラブルデバイスにより生成された権限付与パスワードを取得するための第２のパスワードサブモジュール８３３３を備える。
【０１５０】
選択的に、データ取得モジュール８１０は、
予め設定された検証物理検証動作が存在する場合、ウェアラブルデバイスで採集された動作データを、直接に取得するための第１の取得サブモジュール８１１を備え、
または、
検証用物理動作をランダムに生成し、検証用物理動作をユーザに表示し、検証用物理動作を知らせた後、ウェアラブルデバイスで採集された動作データを取得するための第２の取得サブモジュール８１３を備える。
【０１５１】
選択的に、当該装置は、さらに、
バインディングしたウェアラブルデバイスに既に接続されたか否かを検出するためのバインディング検出モジュール８４０を備え、
バインディングしたウェアラブルデバイスに既に接続された場合、上記データ取得モジュール８１０は、ウェアラブルデバイスで採集された動作データを取得する。
【０１５２】
選択的に、当該装置は、さらに、
ウェアラブルデバイスとの間のバインディング関係を予め確立するための第１のバインディングモジュール８６０を備える。
【０１５３】
選択的に、第１のバインディングモジュール８６０は、
ウェアラブルデバイスの別の動作データを取得し、別の動作データがバインディング物理動作に対応する動作データにマッチングするか否かを検出し、別の動作データがバインディング物理動作に対応する動作データにマッチングした場合、ウェアラブルデバイスとのバインディング関係を確立するための第１のバインディングサブモジュール８６１、
或いは、
ウェアラブルデバイスのＱＲコードをスキャンしてウェアラブルデバイスのＩＤを取得し、ウェアラブルデバイスのＩＤ及び当該端末のデバイスＩＤをサーバーに送信し、サーバーが、ウェアラブルデバイスのＱＲコード及び当該端末のデバイスＩＤに基づいて、ウェアラブルデバイスと当該端末との間のバインディング関係を確立するための第２のバインディングサブモジュール８６３、
或いは、
サーバーにウェアラブルデバイスのＩＤ及びユーザアカウントを送信し、サーバーが、ウェアラブルデバイスのＩＤに基づいて、ウェアラブルデバイスとユーザアカウントとをバインディングするとともに、ウェアラブルデバイスと、ユーザアカウントを使用したモバイル端末との間のバインディング関係を確立するための第３のバインディングサブモジュール８６５を備える。
【０１５４】
選択的に、当該装置は、さらに、
少なくとも１つの検証用物理動作、及び各検証用物理動作に対応する予定操作を予め記憶するための事前記憶モジュール８８０を備え、各検証用物理動作に対応する予定操作が、同一または異なる。
【０１５５】
上記をまとめて、当該実施例に係る操作権限付与装置は、ウェアラブルデバイスで採集された動作データを取得することにより、当該動作データが検証用物理動作にマッチングする動作データであるか否かを検出し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【０１５６】
当該実施例に係る操作権限付与装置は、またウェアラブルデバイスで権限付与パスワードを取得し、権限付与パスワードが漏洩しにくい効果を奏し、また、ウェアラブルデバイスが権限付与パスワードを取得するプロセスに関与することで、ユーザがモバイルインターネットを使用するセキュリティーを向上させる。
【０１５７】
図９は、さらに別の例示的な実施例に係る操作権限付与装置を示すブロック図であり、図９に示すように、当該操作権限付与装置は、ソフトウェア、ハードウェアまたは両方の組み合わせにより、図１に示すウェアラブルデバイスの全部または一部になるように実現することができ、当該装置は、
動作データを採集するためのデータ採集モジュール９１０と、
動作データが検証用物理動作にマッチングする動作データであるか否かを検出するためのモバイル端末に動作データを提供し、動作データが検証用物理動作にマッチングする動作データである場合、検証用物理動作に対応する予定操作を実行する権限を付与するためのデータ提供モジュール９２０と、を備える。
【０１５８】
選択的に、当該装置は、さらに、
当該動作データが検証用物理動作にマッチングする動作データである場合、モバイル端末に権限付与パスワードを提供し、モバイル端末が権限付与パスワードに基づいて、サーバーとインタラクティブに予定操作を実行するためのパスワード提供モジュール９３０を、備える。
【０１５９】
選択的に、パスワード提供モジュール９３０は、
モバイル端末によりサーバーから取得された暗号化された権限付与パスワードを受信し、暗号化された権限付与パスワードに対して復号化し、復号化された権限付与パスワードを取得し、復号化された権限付与パスワードをモバイル端末に送信するための第３のパスワードサブモジュール９３１を備え、
或いは、
権限付与パスワードを生成するとともに、権限付与パスワードをモバイル端末に送信するための第４のパスワードサブモジュール９３３を備える。
【０１６０】
選択的に、当該装置は、さらに、
モバイル端末との間のバインディング関係を予め確立するための第２のバインディングモジュール９４０を、備える。
【０１６１】
選択的に、第２のバインディングモジュール９４０は、
別の動作データを採集するためのデータ採集サブモジュール９４１と、
モバイル端末に別の動作データを送信し、モバイル端末は、別の動作データがバインディング物理動作に対応する動作データにマッチングするか否かを検出するために用いられ、別の動作データがバインディング物理動作に対応する動作データにマッチングした場合、ウェアラブルデバイスとのバインディング関係を確立するためのデータ送信サブモジュール９４３を備える。
【０１６２】
上記をまとめて、当該実施例に係る操作権限付与装置は、動作データを採集するによりモバイル端末に動作データを提供し、モバイル端末は、当該動作データが検証用物理動作にマッチングする動作データであるか否かを検出するために用いられ、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【０１６３】
当該実施例に係る操作権限付与装置は、またウェアラブルデバイスで権限付与パスワードを取得し、権限付与パスワードが漏洩しにくい効果を奏し、また、ウェアラブルデバイスが権限付与パスワードを取得するプロセスに関与することで、ユーザがモバイルインターネットを使用するセキュリティーを向上させる。
【０１６４】
上記の実施例に係る装置において、各モジュールが操作を実行する具体的な形態は、すでに当該方法に関する実施例において詳細に記載されたので、ここでは詳細に説明しない。
【０１６５】
図１０は、例示的な実施例に係る予定操作を実行するための装置１０００を示すブロック図である。当該装置は、モバイル端末に適用された例を挙げて説明し、例えば、装置１０００は、携帯電話、コンピュータ、デジタル放送端末、メッセージ送受信機器、ゲーム機、タブレット装置、医療機器、フィットネス機器、パーソナルデジタルアシスタントであってもよい。
【０１６６】
図１０に示すように、装置１０００は、処理アセンブリ１００２、メモリ１００４、電源アセンブリ１００６、マルチメディア・アセンブリ１００８、オーディオ・アセンブリ１０１０、入出力（Ｉ／Ｏ）インタフェース１０１２、センサ・アセンブリ１０１４、及び通信アセンブリ１０１６から選ばれる１つ以上のアセンブリを備えることができる。
【０１６７】
プロセスアセンブリ１００２は、一般的には装置１０００全体の操作を制御するものであり、例えば、表示、電話呼び出し、データ通信、カメラ操作、及び記録操作と関連する操作を制御する。プロセスアセンブリ１００２は、１つ以上のプロセッサ１０１８を含み、これらによって命令を実行することにより、上記の方法の全部、或いは一部のステップを実現するようにしてもよい。なお、プロセスアセンブリ１００２は、１つ以上のモジュールを含み、これらによってプロセスアセンブリ１００２と他のアセンブリの間のインタラクションを容易にするようにしてもよい。例えば、プロセスアセンブリ１００２は、マルチメディアモジュールを含み、これらによってマルチメディアアセンブリ１００８とプロセスアセンブリ１００２の間のインタラクションを容易にするようにしてもよい。
【０１６８】
メモリ１００４は、各種類のデータを記憶することにより装置１０００の操作を支援するように構成される。これらのデータの例は、装置１０００において操作されるいずれのアプリケーションプログラムまたは方法の命令、連絡対象データ、電話帳データ、メッセージ、画像、ビデオ等を含む。メモリ１００４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（  Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１６９】
電源アセンブリ１００６は、装置１０００のの多様なアセンブリに電力を供給する。電源アセンブリ１００６は、電源管理システム、１つ以上の電源、及び装置１０００のための電力の生成、管理及び割り当てに関連する他のアセンブリを含んでもよい。
【０１７０】
マルチメディアアセンブリ１００８は、前記装置１０００とユーザの間に１つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは１つ以上のタッチセンサを含んでおり、タッチ、スライド、及びタッチパネル上のジェスチャを検出することができる。前記タッチセンサは、タッチ、或いはスライドの動作の境界だけでなく、前記のタッチ、或いはスライド操作に係る継続時間及び圧力も検出できる。上記の実施例において、マルチメディアアセンブリ１００８は、１つのフロントカメラ、及び／またはリアカメラを含む。装置１０００が、例えば撮影モード、或いはビデオモード等の操作モードにある場合、フロントカメラ、及び／またはリアカメラは外部からマルチメディアデータを受信できる。フロントカメラとリアカメラのそれぞれは、１つの固定型の光レンズ系、或いは可変焦点距離と光学ズーム機能を有するものであってもよい。
【０１７１】
オーディオアセンブリ１０１０は、オーディオ信号を入出力するように構成されてもよい。例えば、オーディオアセンブリ１０１０は、１つのマイク（ＭＩＣ）を含み、装置１０００が、例えば呼出しモード、記録モード、及び音声認識モード等の操作モードにある場合、マイクは外部のオーディオ信号を受信することができる。受信されたオーディオ信号は、さらにメモリ１００４に記憶されたり、通信アセンブリ１０１６を介して送信されたりされる。上記の実施例において、オーディオアセンブリ１０１０は、オーディオ信号を出力するための１つのスピーカーをさらに含む。
【０１７２】
Ｉ／Ｏインターフェイス１０１２は、プロセスアセンブリ１００２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１７３】
センサアセンブリ１０１４は、装置１０００に各方面の状態に対する評価を提供するための１つ以上のセンサを含む。例えば、センサアセンブリ１０１４は、装置１０００のＯＮ／ＯＦＦ状態、装置１０００のディスプレイとキーパッドのようなアセンブリの相対的な位置決めを検出することができる。また、例えば、センサアセンブリ１０１４は、装置１０００、或いは装置１０００の１つのアセンブリの位置変更、ユーザと装置１０００とが接触しているか否か、装置１０００の方位、または加速／減速、及び装置１０００の温度の変化を検出することができる。センサアセンブリ１０１４は、何れの物理的接触がない状態にて付近の物体の存在を検出するための近接センサを含んでもよい。センサアセンブリ１０１４は、撮影アプリケーションに適用するため、ＣＭＯＳ、またはＣＣＤ図像センサのような光センサを含んでもよい。上記の実施例において、当該センサアセンブリ１０１４は、加速度センサ、ジャイロスコープセンサ、磁気センサ、圧力センサ、及び温度センサをさらに含んでもよい。
【０１７４】
通信アセンブリ１０１６は、端末１０００と他の機器の間に有線、または無線形態の通信を提供する。装置１０００は、例えばＷｉＦｉ、２Ｇ、３Ｇ、或いはこれらの組み合わせのような、通信規格に基づいた無線ネットワークに接続されてもよい。１つの例示的な実施例において、通信アセンブリ１０１６は、放送チャンネルを介して外部の放送管理システムからの放送信号、または放送に関連する情報を受信する。一例示的な実施例では、前記の通信アセンブリ１０１６は、さらに、近距離通信を促進するように、近距離無線通信（ＮＦＣ）モジュールを備える。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１７５】
例示的な実施例において、装置１０００は、１つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記図２または図４Ａに示す操作権限付与方法を実行する。
【０１７６】
例示的な実施例では、さらに、命令を含むコンピュータ読み取り可能な非一時的な記憶媒体、例えば、命令を含むメモリ１００４を提供しており、装置１０００のプロセッサ１０１８により前記命令を実行して上記方法を実現する。例えば、コンピュータ読み取り可能な非一時的な記憶媒体は、ＲＯＭ、ＲＡＭ、ＣＤ−ＲＯＭ、磁気テープ、フロッピーディスク、及び光データ記憶デバイスなどであってもよい。
【０１７７】
図１１は、別の例示的な実施例に係る予定操作を実行するための装置１１００を示すブロック図である。当該装置がウェアラブルデバイスに適用された例をあげて説明し、例えば、装置１１００は、スマート腕輪、スマートウォッチ、スマートブレスレット、スマートネックレス、スマートリングまたはスマート眼鏡などであってもよい。図１１に示すように、装置１１００は、さらに、受信器１１０２、送信器１１０４、センサアセンブリ１１０６、及び電源アセンブリ１１０８の中の１つ以上のアセンブリを備える。
【０１７８】
受信器１１０２は、転送媒体から信号を受信し、受信した信号に対してデコードする、又はそれを装置１１００を駆動可能な電気回路に変換することができ、当該装置１１００において転送媒体が一般的に無線である。
【０１７９】
送信器１１０４は、信号やデータを受信し、それを媒体による転送する形態の電気回路に変換することができ、当該装置において転送媒体が一般的に無線である。送信器１１０４は、装置１１００の操作を支援するために、アンテナを利用して無線電波を送信する。送信器１１０４は、アンテナに作用する交流電流を発生する。アンテナが無線電波を発生し、無線電波をスペースに送信する。送信器１１０４は、各種類の無線電を利用して通信する機器に幅広く用いられている。
【０１８０】
その中、受信器１１０２及び送信器１１０４は、ブルートゥース（Ｂｌｕｅｔｏｏｔｈ）４．０規格に準したブルートゥースチップにより実現されてもよい。
【０１８１】
センサアセンブリ１１０６は、装置１１００に各方面の状態に対する評価を提供するための１つ以上のセンサを含む。例えば、センサアセンブリ１１０６は、装置１１００のＯＮ／ＯＦＦ状態、アセンブリの相対的な位置決めを検出し、例えば、センサアセンブリ１１０６は、装置１１００の方位、または加速／減速、及び装置１１００の温度の変化を検出することができる。センサアセンブリ１１０６は、何れの物理的接触がない状態にて付近の物体の存在を検出するための近接センサを含んでもよい。当該センサアセンブリ１１０６は、光センサ、加速度センサ、ジャイロスコープセンサ、磁気センサ、圧力センサ、及び温度センサをさらに含んでもよい。
【０１８２】
電源アセンブリ１１０８は、装置１１００の各アセンブリに電力を供給する。電源アセンブリ１１０８は、電源管理システム、１つ以上の電源、及び装置１１００のための電力の生成、管理及び割り当てに関連する他のアセンブリを含んでもよい。
【０１８３】
例示的な実施例において、装置１１００は、上記図３または図５に示した操作権限付与方法を実行するために用いられることができる。
【０１８４】
本発明は、上記説明、及び図示された精確な構成に限定されず、本発明の範囲を逸脱しない限り、様々な修正と変更が可能であることを理解すべきである。本発明の範囲は、添付する特許要請の範囲にのみ制限される。
【図１】
2016541218.tif 000003
【図２】
2016541218.tif 000004
【図３】
2016541218.tif 000005
【図４Ａ】
2016541218.tif 000006
【図４Ｂ】
2016541218.tif 000007
【図４Ｃ】
2016541218.tif 000008
【図４Ｄ】
2016541218.tif 000009
【図４Ｅ】
2016541218.tif 000010
【図４Ｆ】
2016541218.tif 000011
【図５】
2016541218.tif 000012
【図６】
2016541218.tif 000013
【図７】
2016541218.tif 000014
【図８】
2016541218.tif 000015
【図９】
2016541218.tif 000016
【図１０】
2016541218.tif 000017
【図１１】
2016541218.tif 000018
【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
ウェアラブルデバイスで採集された動作データを取得するステップと、
前記動作データが検証用物理動作にマッチングする動作データであるか否かを検出するステップと、
前記動作データが検証用物理動作にマッチングする動作データである場合、前記検証用物理動作に対応する予定操作を実行する権限を付与するステップと、を含む
ことを特徴とする操作権限付与方法。
【請求項２】
前記検証用物理動作に対応する予定操作を実行する権限を付与するステップは、
前記予定操作が本装置で独立に実行される必要のある操作である場合、前記予定操作を実行する権限を付与するステップ、
及び／または、
前記予定操作がサーバーとインタラクティブに実行される必要のある操作である場合、前記ウェアラブルデバイスで権限付与パスワードを取得し、前記権利付与パスワードに基づいて、前記サーバーとインタラクティブに前記予定操作を実行するステップ、を含む
ことを特徴とする請求項１に記載の操作権限付与方法。
【請求項３】
前記ウェアラブルデバイスで権限付与パスワードを取得するステップは、
前記サーバーから暗号化された権限付与パスワードを取得し、前記暗号化された権限付与パスワードを前記ウェアラブルデバイスに送信し、前記ウェアラブルデバイスにより復号化された権限付与パスワードを取得するステップ、
或いは、
前記ウェアラブルデバイスにより独立に生成された権限付与パスワードを取得するステップ、を含む
ことを特徴とする請求項２に記載の操作権限付与方法。
【請求項４】
前記ウェアラブルデバイスで採集された動作データを取得するステップは、
予め設定された検証用物理動作が存在する場合、前記ウェアラブルデバイスで採集された動作データを、直接に取得するステップ、
或いは、
予め設定された検証用物理動作が存在しない場合、前記検証用物理動作をランダムに生成し、前記検証用物理動作をユーザに表示し、前記検証用物理動作を表示した後、前記ェアラブルデバイスで採集された動作データを取得するステップ、を含む
ことを特徴とする請求項１に記載の操作権限付与方法。
【請求項５】
さらに、少なくとも１つの前記検証用物理動作、及び各前記検証用物理動作に対応する予定操作を予め記憶するステップを含み、
各前記検証用物理動作に対応する前記予定操作が同一または異なる
ことを特徴とする請求項１〜４のいずれか１項に記載の操作権限付与方法。
【請求項６】
さらに、バインディングしたウェアラブルデバイスに既に接続されたか否かを検出するステップと、
バインディングの前記ウェアラブルデバイスに既に接続された場合、ウェアラブルデバイスで採集された動作データを取得する前記ステップを実行するステップとを、含む
ことを特徴とする請求項１〜４のいずれか１項に記載の操作権限付与方法。
【請求項７】
さらに、前記ウェアラブルデバイスとの間のバインディング関係を予め確立するステップを、含む
ことを特徴とする請求項６に記載の操作権限付与方法。
【請求項８】
前記ウェアラブルデバイスとの間のバインディング関係を予め確立するステップは、
前記ウェアラブルデバイスの別の動作データを取得し、前記別の動作データがバインディング物理動作に対応する動作データにマッチングするか否かを検出し、前記別の動作データがバインディング物理動作に対応する動作データにマッチングした場合、前記ウェアラブルデバイスとのバインディング関係を確立するステップ、
或いは、
前記ウェアラブルデバイスのＱＲコードをスキャンして前記ウェアラブルデバイスのＩＤを取得し、前記ウェアラブルデバイスのＩＤ及び当該端末のデバイスＩＤをサーバーに送信し、前記サーバーが、前記ウェアラブルデバイスのＩＤ及び前記当該端末のデバイスＩＤに基づいて、前記ウェアラブルデバイスと当該端末との間のバインディング関係を確立するステップ、
或いは、
前記サーバーに前記ウェアラブルデバイスのＩＤ及びユーザアカウントを送信し、前記サーバーが、前記ウェアラブルデバイスのＩＤに基づいて、前記ウェアラブルデバイスと前記ユーザアカウントとをバインディングするとともに、前記ウェアラブルデバイスと前記ユーザアカウントを使用したモバイル端末との間のバインディング関係を確立するステップを含む
ことを特徴とする請求項７に記載の操作権限付与方法。
【請求項９】
動作データを採集するステップと、
前記動作データが検証用物理動作にマッチングする動作データであるか否かを検出するためのモバイル端末に前記動作データを提供し、前記動作データが前記検証用物理動作にマッチングする動作データである場合、前記検証用物理動作に対応する予定操作を実行する権限を付与するステップと、を含む
ことを特徴とする操作権限付与方法。
【請求項１０】
さらに、前記動作データが前記検証用物理動作にマッチングする動作データである場合、前記モバイル端末に権限付与パスワードを提供し、前記モバイル端末が前記権限付与パスワードに基づいて、前記予定操作を前記サーバーとインタラクティブに実行するステップを、含む
ことを特徴とする請求項９に記載の操作権限付与方法。
【請求項１１】
前記動作データが前記検証用物理動作にマッチングする動作データである場合、前記モバイル端末に権限付与パスワードを提供するステップは、
前記モバイル端末により前記サーバーから取得された暗号化された権限付与パスワードを受信し、前記暗号化された権限付与パスワードに対して復号化し、復号化された権限付与パスワードを取得し、前記復号化された権限付与パスワードを前記モバイル端末に送信するステップ、
或いは、
権限付与パスワードを生成するとともに、前記権限付与パスワードを前記モバイル端末に送信するステップ、を含む
ことを特徴とする請求項１０に記載の操作権限付与方法。
【請求項１２】
さらに、前記モバイル端末との間のバインディング関係を予め確立するステップを、含む
ことを特徴とする請求項９〜１１のいずれか１項に記載の操作権限付与方法。
【請求項１３】
前記モバイル端末との間のバインディング関係を予め確立するステップは、
別の動作データを採集するステップと、
前記モバイル端末に前記別の動作データを送信し、前記モバイル端末は、前記別の動作データがバインディング物理動作に対応する動作データにマッチングするか否かを検出し、前記別の動作データがバインディング物理動作に対応する動作データにマッチングした場合、前記ウェアラブルデバイスとのバインディング関係を確立するステップと、を含む
ことを特徴とする請求項１２に記載の操作権限付与方法。
【請求項１４】
ウェアラブルデバイスで採集された動作データを取得するためのデータ取得モジュールと、
前記動作データが検証用物理動作にマッチングする動作データであるか否かを検出するためのマッチング検出モジュールと、
前記動作データが検証用物理動作にマッチングする動作データである場合、前記検証用物理動作に対応する予定操作を実行する権限を付与するための操作実行モジュールと、を備える
ことを特徴とする操作権限付与装置。
【請求項１５】
前記操作実行モジュールは、
前記予定操作が本装置で独立に実行される必要のある操作である場合、前記予定操作を実行する権限を付与するための第１の実行サブモジュールと、
前記予定操作がサーバーとインタラクティブに実行される必要のある操作である場合、前記ウェアラブルデバイスで権限付与パスワードを取得し、前記権限付与パスワードに基づいて、前記サーバーとインタラクティブに前記予定操作を実行するための第２の実行サブモジュールと、を備える
ことを特徴とする請求項１４に記載の操作権限付与装置。
【請求項１６】
前記第２の実行サブモジュールは、
前記サーバーから暗号化された権限付与パスワードを取得し、前記暗号化された権限付与パスワードを前記ウェアラブルデバイスに送信し、前記ウェアラブルデバイスにより復号化された権限付与パスワードを取得するための第１のパスワードサブモジュール、
或いは、
前記ウェアラブルデバイスにより生成された権限付与パスワードを取得するための第２のパスワードサブモジュールを備える
ことを特徴とする請求項１５に記載の操作権限付与装置。
【請求項１７】
前記データ取得モジュールは、
予め設定された検証用物理動作が存在する場合、前記ウェアラブルデバイスで採集された動作データを、直接に取得するための第１の取得サブモジュールを備え、
或いは、
設定された検証用物理動作が存在しない場合、前記検証用物理動作をランダムに生成し、前記検証用物理動作をユーザに表示し、前記検証用物理動作を表示した後、前記ウェアラブルデバイスで採集された動作データを取得するための第２の取得サブモジュールを備える
ことを特徴とする請求項１４に記載の操作権限付与装置。
【請求項１８】
さらに、少なくとも１つの前記検証用物理動作、及び各の前記検証用物理動作に対応する前記予定操作を予め記憶するための事前記憶モジュールを備え、
各前記検証用物理動作に対応する前記予定操作が同一または異なる
ことを特徴とする請求項１４〜１７のいずれか１項に記載の操作権限付与装置。
【請求項１９】
さらに、バインディングしたウェアラブルデバイスに既に接続されたか否かを検出するためのバインディング検出モジュールを備え、
バインディングの前記ウェアラブルデバイスに既に接続された場合、前記データ取得モジュールは、ウェアラブルデバイスで採集された動作データを取得する
ことを特徴とする請求項１４〜１７のいずれか１項に記載の操作権限付与装置。
【請求項２０】
さらに、前記ウェアラブルデバイスとの間のバインディング関係を予め確立するための第１のバインディングモジュールを備える
ことを特徴とする請求項１９に記載の操作権限付与装置。
【請求項２１】
前記第１のバインディングモジュールは、
前記ウェアラブルデバイスの別の動作データを取得し、前記別の動作データがバインディング物理動作に対応する動作データにマッチングするか否かを検出し、前記別の動作データがバインディング物理動作に対応する動作データにマッチングした場合、前記ウェアラブルデバイスとのバインディング関係を確立するための第１のバインディングサブモジュール、
或いは、
前記ウェアラブルデバイスのＱＲコードをスキャンして前記ウェアラブルデバイスのＩＤを取得し、前記ウェアラブルデバイスのＩＤ及び当該端末のデバイスＩＤをサーバーに送信し、前記サーバーが、前記ウェアラブルデバイスのＩＤ及び前記当該端末のデバイスＩＤに基づいて、前記ウェアラブルデバイスと当該端末との間のバインディング関係を確立するための第２のバインディングサブモジュール、
或いは、
前記サーバーに前記ウェアラブルデバイスのＩＤ及びユーザアカウントを送信し、前記サーバーが、前記ウェアラブルデバイスのＩＤに基づいて、前記ウェアラブルデバイスと前記ユーザアカウントとをバインディングするとともに、前記ウェアラブルデバイスと、前記ユーザアカウントを使用したモバイル端末との間のバインディング関係を確立するための第３のバインディングサブモジュール、を備える
ことを特徴とする請求項２０に記載の操作権限付与装置。
【請求項２２】
動作データを採集するためのデータ採集モジュールと、
前記動作データが検証用物理動作にマッチングする動作データであるか否かを検出するためのモバイル端末に前記動作データを提供し、前記動作データが前記検証用物理動作にマッチングする動作データである場合、前記検証用物理動作に対応する予定操作を実行する権限を付与するためのデータ提供モジュールと、を備える
ことを特徴とする操作権限付与装置。
【請求項２３】
さらに、前記動作データが前記検証用物理動作にマッチングする動作データである場合、前記モバイル端末に権限付与パスワードを提供し、前記モバイル端末が前記権限付与パスワードに基づいて、前記予定操作を前記サーバーとインタラクティブに実行するためのパスワード提供モジュールを含む
ことを特徴とする請求項２２に記載の操作権限付与装置。
【請求項２４】
前記パスワード提供モジュールは、
前記モバイル端末により前記サーバーから取得された暗号化された権限付与パスワードを受信し、前記暗号化された権限付与パスワードに対して復号化し、復号化された権限付与パスワードを取得し、前記復号化された権限付与パスワードを前記モバイル端末に送信するための第３のパスワードサブモジュール、
或いは、
権限付与パスワードを生成するとともに、前記権限付与パスワードを前記モバイル端末に送信するための第４のパスワードサブモジュールを備える
ことを特徴とする請求項２３に記載の操作権限付与装置。
【請求項２５】
さらに、前記モバイル端末との間のバインディング関係を予め確立するための第２のバインディングモジュールを備える
ことを特徴とする請求項２２〜２４のいずれか１項に記載の操作権限付与装置。
【請求項２６】
前記第２のバインディングモジュールは、
別の動作データを採集するためのデータ採集サブモジュールと、
前記モバイル端末に前記別の動作データを送信し、前記モバイル端末は、前記別の動作データがバインディング物理動作に対応する動作データにマッチングするか否かを検出し、前記別の動作データがバインディング物理動作に対応する動作データにマッチングした場合、前記ウェアラブルデバイスとのバインディング関係を確立するためのデータ送信サブモジュールと、を備える
ことを特徴とする請求項２５に記載の操作権限付与装置。
【請求項２７】
プロセッサと、
前記プロセッサの実行可能な命令を記憶するためのメモリと、を備え、
前記プロセッサは、
ウェアラブルデバイスで採集された動作データを取得し、
前記動作データが検証用物理動作に対応する動作データとをマッチングするか否かを検出し、
前記動作データが前記検証用物理動作に対応する動作データにマッチングした場合、前記検証用物理動作に対応する予定操作を実行する権限を付与する
ことを特徴とする操作権限付与装置。
【請求項２８】
動作データを採集するためのセンサと、
前記動作データが検証用物理動作にマッチングする動作データであるか否かを検出するためのモバイル端末に前記動作データを提供し、前記動作データが前記検証用物理動作にマッチングする動作データである場合、前記検証用物理動作に対応する予定操作を実行する権限を付与するための送信器と、を備える
ことを特徴とする操作権限付与装置。
【請求項２９】
プロセッサに実行されることにより、請求項１〜１３のいずれか１項に記載の操作権限付与方法を実現することを特徴とするプログラム。
【請求項３０】
請求項２９に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本願は、出願番号が２０１４１０５１５４０２．５であって、出願日が２０１４年９月２９日である中国特許出願に基づき優先権を主張し、当該中国特許出願のすべての内容を本願に援用する。
【０００２】
本発明は、ネットワークセキュリティー分野に属し、特に操作権限付与方法、操作権限付与装置、プログラム及び記録媒体に関する。
【背景技術】
【０００３】
現在、モバイルインターネットが提供可能なサービスの種類は、ますます多くなっており、その中でも、多くのサービスがユーザの財産及びユーザのプライバシーに関する。
【０００４】
これらの操作を実行する時に、関連技術において、通常、携帯電話の検証コードを用いて、ユーザの身元を検証する。概ねの過程は、以下のようである。ユーザが携帯電話にてサーバーへ予定操作を申請し、サーバーが携帯電話において１つの検証画面を表示する一方、ユーザのバインディングした携帯電話へ６桁のダイナミックな権利付与用パスワードを送信し、その後、ユーザが携帯電話の受信した６位のダイナミックな権利付与用パスワードを、携帯電話において表示された検証画面に入力し、そしてサーバーにサブミットする。サーバーは、６位のダイナミックな権利付与用パスワードが正しいと検出した時に、ユーザに、携帯電話が当該予定操作を実行することを許可する。
【発明の概要】
【発明が解決しようとする課題】
【０００５】
関連技術において、ショートメッセージによりダイナミックな権利付与用パスワードを取得する操作が比較的複雑であり、且つダイナミックパスワードが漏洩するおそれがある問題を解決するために、本発明の実施例は、操作権限付与方法、操作権限付与装置、プログラム及び記録媒体を提供し、その技術案は、次の通りである。
【課題を解決するための手段】
【０００６】
本発明に係る実施例の第１の態様によれば、モバイル端末に用いられる操作権限付与方法を提供し、前記方法は、
ウェアラブルデバイスで採集された動作データを取得するステップと、
動作データが検証用物理動作にマッチングする動作データであるか否かを検出するステップと、
動作データが検証用物理動作にマッチングする動作データである場合、検証用物理動作に対応する予定操作を実行する権限を付与するステップと、を含む。
【０００７】
一実施例において、検証用物理動作に対応する予定操作を実行する権限を付与するステップは、
予定操作が本装置で独立に実行される必要のある操作である場合、予定操作を実行する権限を付与するステップ、
及び／または、
予定操作がサーバーとインタラクティブに実行される必要のある操作である場合、ウェアラブルデバイスで権限付与パスワードを取得し、権利付与パスワードに基づいて、サーバーとインタラクティブに予定操作を実行するステップ、を含む。
【０００８】
一実施例において、ウェアラブルデバイスで権限付与パスワードを取得するステップは、
サーバーから暗号化された権限付与パスワードを取得し、暗号化された権限付与パスワードをウェアラブルデバイスに送信し、ウェアラブルデバイスにより復号化された権限付与パスワードを取得するステップ、
或いは、
ウェアラブルデバイスにより独立に生成された権限付与パスワードを取得するステップ、を含む。
【０００９】
一実施例において、ウェアラブルデバイスで採集された動作データを取得するステップは、
予め設定された検証用物理動作が存在する場合、ウェアラブルデバイスで採集された動作データを、直接に取得するステップ、
或いは、
予め設定された検証用物理動作が存在しない場合、検証用物理動作をランダムに生成し、検証用物理動作をユーザに表示し、検証用物理動作を表示した後、ェアラブルデバイスで採集された動作データを取得するステップ、を含む。
【００１０】
選択的に、当該方法は、
さらに、少なくとも１つの検証用物理動作、及び各検証用物理動作に対応する予定操作を予め記憶するステップを含み、
各検証用物理動作に対応する予定操作が同一または異なる。
【００１１】
選択的に、当該方法は、
さらに、バインディングしたウェアラブルデバイスに既に接続されたか否かを検出するステップと、
バインディングのウェアラブルデバイスに既に接続された場合、ウェアラブルデバイスで採集された動作データを取得するステップを実行するステップとを、含む。
【００１２】
選択的に、当該方法は、
さらに、ウェアラブルデバイスとの間のバインディング関係を予め確立するステップを、含む。
【００１３】
一実施例において、ウェアラブルデバイスとの間のバインディング関係を予め確立するステップは、
ウェアラブルデバイスの別の動作データを取得し、別の動作データがバインディング物理動作に対応する動作データにマッチングするか否かを検出し、別の動作データがバインディング物理動作に対応する動作データにマッチングした場合、ウェアラブルデバイスとのバインディング関係を確立するステップ、
或いは、
ウェアラブルデバイスのＱＲコードをスキャンしてウェアラブルデバイスのＩＤを取得し、ウェアラブルデバイスのＩＤ及び当該端末のデバイスＩＤをサーバーに送信し、サーバーが、ウェアラブルデバイスのＩＤ及び当該端末のデバイスＩＤに基づいて、ウェアラブルデバイスと当該端末との間のバインディング関係を確立するステップ、
或いは、
サーバーにウェアラブルデバイスのＩＤ及びユーザアカウントを送信し、サーバーが、ウェアラブルデバイスのＩＤに基づいて、ウェアラブルデバイスとユーザアカウントとをバインディングするとともに、ウェアラブルデバイスとユーザアカウントを使用したモバイル端末との間のバインディング関係を確立するステップを含む。
【００１４】
本発明に係る実施例の第２の態様によれば、ウェアラブルデバイスに用いられる操作権限付与方法を提供し、前記方法は、
動作データを採集するステップと、
動作データが検証用物理動作にマッチングする動作データであるか否かを検出するためのモバイル端末に動作データを提供し、動作データが検証用物理動作にマッチングする動作データである場合、検証用物理動作に対応する予定操作を実行する権限を付与するステップと、を含む。
【００１５】
選択的に、当該方法は、
さらに、動作データが検証用物理動作にマッチングする動作データである場合、モバイル端末に権限付与パスワードを提供し、モバイル端末が権限付与パスワードに基づいて、予定操作をサーバーとインタラクティブに実行するステップを、含む。
【００１６】
一実施例において、動作データが検証用物理動作にマッチングする動作データである場合、モバイル端末に権限付与パスワードを提供するステップは、
モバイル端末によりサーバーから取得された暗号化された権限付与パスワードを受信し、暗号化された権限付与パスワードに対して復号化し、復号化された権限付与パスワードを取得し、復号化された権限付与パスワードをモバイル端末に送信するステップ、
或いは、
権限付与パスワードを生成するとともに、権限付与パスワードをモバイル端末に送信するステップ、を含む。
【００１７】
選択的に、当該方法は、
さらに、モバイル端末との間のバインディング関係を予め確立するステップを、含む。
【００１８】
一実施例において、モバイル端末との間のバインディング関係を予め確立するステップは、
別の動作データを採集するステップと、
モバイル端末に別の動作データを送信し、モバイル端末は、別の動作データがバインディング物理動作に対応する動作データにマッチングするか否かを検出し、別の動作データがバインディング物理動作に対応する動作データにマッチングした場合、ウェアラブルデバイスとのバインディング関係を確立するステップと、を含む。
【００１９】
本発明に係る実施例の第３の態様によれば、モバイル端末に用いられる操作権限付与装置を提供し、前記装置は、
ウェアラブルデバイスで採集された動作データを取得するためのデータ取得モジュールと、
動作データが検証用物理動作にマッチングする動作データであるか否かを検出するためのマッチング検出モジュールと、
動作データが検証用物理動作にマッチングする動作データである場合、検証用物理動作に対応する予定操作を実行する権限を付与するための操作実行モジュールと、を備える。
【００２０】
一実施例において、操作実行モジュールは、
予定操作が本装置で独立に実行される必要のある操作である場合、予定操作を実行する権限を付与するための第１の実行サブモジュールと、
予定操作がサーバーとインタラクティブに実行される必要のある操作である場合、ウェアラブルデバイスで権限付与パスワードを取得し、権限付与パスワードに基づいて、サーバーとインタラクティブに予定操作を実行するための第２の実行サブモジュールと、を備える。
【００２１】
一実施例において、第２の実行サブモジュールは、
サーバーから暗号化された権限付与パスワードを取得し、暗号化された権限付与パスワードをウェアラブルデバイスに送信し、ウェアラブルデバイスにより復号化された権限付与パスワードを取得するための第１のパスワードサブモジュール、
或いは、
ウェアラブルデバイスにより生成された権限付与パスワードを取得するための第２のパスワードサブモジュールを備える。
【００２２】
一実施例において、データ取得モジュールは、
予め設定された検証用物理動作が存在する場合、ウェアラブルデバイスで採集された動作データを、直接に取得するための第１の取得サブモジュールを備え、
或いは、
設定された検証用物理動作が存在しない場合、検証用物理動作をランダムに生成し、検証用物理動作をユーザに表示し、検証用物理動作を表示した後、ウェアラブルデバイスで採集された動作データを取得するための第２の取得サブモジュールを備える。
【００２３】
選択的に、当該装置は、
さらに、少なくとも１つの検証用物理動作、及び各の検証用物理動作に対応する予定操作を予め記憶するための事憶モジュールを備え、
各検証用物理動作に対応する予定操作が同一または異なる。
【００２４】
選択的に、当該装置は、
さらに、バインディングしたウェアラブルデバイスに既に接続されたか否かを検出するためのバインディング検出モジュールを備え、
バインディングのウェアラブルデバイスに既に接続された場合、データ取得モジュールは、ウェアラブルデバイスで採集された動作データを取得する。
【００２５】
選択的に、当該装置は、
さらに、ウェアラブルデバイスとの間のバインディング関係を予め確立するための第１のバインディングモジュールを備える。
【００２６】
一実施例において、第１のバインディングモジュールは、
ウェアラブルデバイスの別の動作データを取得し、別の動作データがバインディング物理動作に対応する動作データにマッチングするか否かを検出し、別の動作データがバインディング物理動作に対応する動作データにマッチングした場合、ウェアラブルデバイスとのバインディング関係を確立するための第１のバインディングサブモジュール、
或いは、
ウェアラブルデバイスのＱＲコードをスキャンしてウェアラブルデバイスのＩＤを取得し、ウェアラブルデバイスのＩＤ及び当該端末のデバイスＩＤをサーバーに送信し、サーバーが、ウェアラブルデバイスのＩＤ及び当該端末のデバイスＩＤに基づいて、ウェアラブルデバイスと当該端末との間のバインディング関係を確立するための第２のバインディングサブモジュール、
或いは、
サーバーにウェアラブルデバイスのＩＤ及びユーザアカウントを送信し、サーバーが、ウェアラブルデバイスのＩＤに基づいて、ウェアラブルデバイスとユーザアカウントとをバインディングするとともに、ウェアラブルデバイスと、ユーザアカウントを使用したモバイル端末との間のバインディング関係を確立するための第３のバインディングサブモジュール、を備える。
【００２７】
本発明に係る実施例の第４の態様によれば、ウェアラブルデバイスに用いられる操作権限付与装置を提供し、前記装置は、
動作データを採集するためのデータ採集モジュールと、
動作データが検証用物理動作にマッチングする動作データであるか否かを検出するためのモバイル端末に動作データを提供し、、動作データが検証用物理動作にマッチングする動作データである場合、検証用物理動作に対応する予定操作を実行する権限を付与するためのデータ提供モジュールと、を備える。
【００２８】
選択的に、当該装置は、
さらに、動作データが検証用物理動作にマッチングする動作データである場合、モバイル端末に権限付与パスワードを提供し、モバイル端末が権限付与パスワードに基づいて、予定操作をサーバーとインタラクティブに実行するためのパスワード提供モジュールを含む。
【００２９】
一実施例において、パスワード提供モジュールは、
モバイル端末によりサーバーから取得された暗号化された権限付与パスワードを受信し、暗号化された権限付与パスワードに対して復号化し、復号化された権限付与パスワードを取得し、復号化された権限付与パスワードをモバイル端末に送信するための第３のパスワードサブモジュール、
或いは、
権限付与パスワードを生成するとともに、権限付与パスワードをモバイル端末に送信するための第４のパスワードサブモジュールを備える。
【００３０】
選択的に、当該装置は、
さらに、モバイル端末との間のバインディング関係を予め確立するための第２のバインディングモジュールを備える。
【００３１】
一実施例において、第２のバインディングモジュールは、
別の動作データを採集するためのデータ採集サブモジュールと、
モバイル端末に別の動作データを送信し、モバイル端末は、別の動作データがバインディング物理動作に対応する動作データにマッチングするか否かを検出し、別の動作データがバインディング物理動作に対応する動作データにマッチングした場合、ウェアラブルデバイスとのバインディング関係を確立するためのデータ送信サブモジュールと、を備える。
【００３２】
本発明に係る実施例の第５の態様によれば、操作権限付与装置を提供し、前記装置は、
プロセッサと、
プロセッサの実行可能な命令を記憶するためのメモリと、を備え、
プロセッサは、
ウェアラブルデバイスで採集された動作データを取得し、
動作データが検証用物理動作に対応する動作データとをマッチングするか否かを検出し、
動作データが検証用物理動作に対応する動作データにマッチングした場合、検証用物理動作に対応する予定操作を実行する権限を付与する。
【００３３】
本発明に係る実施例の第６の態様によれば、操作権限付与装置を提供し、前記装置は、
動作データを採集するためのセンサと、
動作データが検証用物理動作にマッチングする動作データであるか否かを検出するためのモバイル端末に動作データを提供し、動作データが検証用物理動作にマッチングする動作データである場合、検証用物理動作に対応する予定操作を実行する権限を付与するための送信器と、を備える。
【００３４】
本発明に係る実施例の第７の態様によれば、プロセッサに実行されることにより、前記操作権限付与方法を実現するプログラムを提供する。
【００３５】
本発明に係る実施例の第８の態様によれば、前記プログラムを記録した記録媒体を提供する。
【発明の効果】
【００３６】
本発明に係る実施例に提供された技術案において、以下の有益な効果を果たすことができる。
【００３７】
ウェアラブルデバイスで採集された動作データを取得することにより、当該動作データが検証用物理動作に対応する動作データにマッチングするか否かを検出し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【００３８】
以上の一般的な記述及び以下の詳細な記述は、例示のものに過ぎず、本開示を限定するものではないと理解すべきである。
【図面の簡単な説明】
【００３９】
ここでの図面は、明細書の一部分として明細書全体を構成することにより、本開示に合致する実施例を例示するとともに、本開示の原理を解釈するためのものである。
【図１】本発明の各実施例に係る操作権限付与方法の実施環境の構成を模式的に示す図である。
【図２】一例示的な実施例に係る操作権限付与方法を示すフローチャートである。
【図３】別の例示的な実施例に係る操作権限付与方法を示すフローチャートである。
【図４Ａ】他の例示的な実施例に係る操作権限付与方法を示すフローチャートである。
【図４Ｂ】他の例示的な実施例に係る操作権限付与方法の１つの画面を模式的に示す図である。
【図４Ｃ】他の例示的な実施例に係る操作権限付与方法のもう１つの画面を模式的に示す図である。
【図４Ｄ】他の例示的な実施例に係る操作権限付与方法の１つの画面を模式的に示す図である。
【図４Ｅ】他の例示的な実施例に係る操作権限付与方法のもう１つのインターフェースを模式的に示す図である。
【図４Ｆ】他の例示的な実施例に係る操作権限付与方法のさらにもう１つのインターフェースを模式的に示す図である。
【図５】さらに別の例示的な実施例に係る操作権限付与方法を示すフローチャートである。
【図６】例示的な実施例に係る操作権限付与装置を示すブロック図である。
【図７】別の例示的な実施例に係る操作権限付与装置を示すブロック図である。
【図８】他の例示的な実施例に係る操作権限付与装置を示すブロック図である。
【図９】さらに別の例示的な実施例に係る操作権限付与装置を示すブロック図である。
【図１０】例示的な実施例に係る操作権限付与装置を示すブロック図である。
【図１１】別の例示的な実施例に係る操作権限付与装置を示すブロック図である。
【００４０】
以上の図面を通じて、本発明の実施例を例示したが、以下、より詳細に説明する。これらの図面及び文字記載は、本発明の趣旨の範囲を限定するためのものではなく、特定の実施例を参照として、当業者に本発明のコンセプトを理解させるためのものである。
【発明を実施するための形態】
【００４１】
ここで、例示的な実施例を詳細に説明し、また、説明中の例を図面に示している。以下の記述において、図面を説明する際に、特に、説明しない場合、異なる図面中の同一の符号は、同一、或は、同様な要素を意味する。以下の例示的な実施例において記述する実施方法は、本発明に合致するすべての実施方法を代表しない。逆に、それらは、添付の特許要請の範囲において詳細に記述された、本発明のいくつかの態様と合致する装置、及び方法の例に過ぎない。
【００４２】
図１に示すように、本発明の各実施例に係る操作権限付与方法の実施環境の構成を模式的に示す。当該実施環境は、ウェアラブルデバイス１２０、モバイル端末１４０及びサーバー１６０を備える。
【００４３】
その中、ウェアラブルデバイス１２０は、無線接続でモバイル端末１４０と接続することができる。無線接続は、ブルートゥース（Ｂｌｕｅｔｏｏｔｈ）接続及びＷｉＦｉ（ｗｉｒｅｌｅｓｓｆｉｄｅｌｉｔｙ）接続であってもよい。
【００４４】
ウェアラブルデバイス１２０は、動作データを採集するとともに、動作データをモバイル端末１４０に送信することができる電子機器である。実際の実現において、当該ウェアラブルデバイス１２０は、スマート腕輪、スマートウォッチ、スマートブレスレット、スマートネックレス、スマートリングまたはスマート眼鏡であってもよい。ウェアラブルデバイス１２０において、動作データを採集するために用いられるセンサを設定し、当該センサは、重力加速度センサ、ジャイロセンサ等であってもよい。
【００４５】
モバイル端末１４０は、無線接続でサーバー１６０と接続することができる。モバイル端末１４０は、例えば、スマートフォン、タブレットＰＣ、電子書籍リーダーまたはノートパソコンのような電子機器であってもよい。
【００４６】
サーバー１６０は、１つのサーバー、複数のサーバーからなるサーバー群、または１つのクラウドコンピューティング・サービスセンターであってもよい。
【００４７】
説明すべきことは、本発明の各実施例に係る動作データが、ウェアラブルデバイスで採集された物理動作に対応するデータであり、物理動作は、ウェアラブルデバイスを１回叩き、ウェアラブルデバイスを２回叩き、ウェアラブルデバイスを１回振り、ウェアラブルデバイスを２回振り、ウェアラブルデバイスを持って１つの三角形を描き、ウェアラブルデバイスで１つの矩形を描き、ウェアラブルデバイスで１つの多角形を描くことなどであってもよい。
【００４８】
予定操作は、端末に対して実行される、ユーザのネットワーク財産及び／またはユーザのプライバシー情報に関する操作である。予定操作は、本装置に対して独立に実行される必要のある予定操作、及びサーバーとインタラクティブに実行される必要のある予定操作という２つの種類に分けられる。
【００４９】
本装置に対して独立に実行される必要のある予定操作は、モバイル端末上のプライバシーショートメッセージを確認する操作、モバイル端末上の通話明細を確認する操作、モバイル端末の地理位置を確認する操作、モバイル端末の暗号化されたアプリケーションを開く操作、モバイル端末におけるシステムの設定を変更する操作などを含む。
【００５０】
サーバーとインタラクティブに実行される必要のある予定操作は、サーバーとインタラクティブに実行される支払い操作、サーバーとインタラクティブに実行される振替操作、サーバーとインタラクティブに実行される検証操作、サーバーとインタラクティブに実行される登録操作、サーバーとインタラクティブに実行されるクラウド情報を確認する操作などを含む。
【００５１】
図２は、例示的な実施例に係る操作権限付与方法を示すフローチャートであり、当該実施例では、当該操作権限付与方法を図１に示した実施環境におけるモバイル端末１４０側に適用した例を挙げて説明し、図２に示すように、当該操作権限付与方法は、以下のステップを含む。
【００５２】
ステップ２０２において、ウェアラブルデバイスで採集された動作データを取得する。
【００５３】
ステップ２０４において、当該動作データが検証用物理動作にマッチングする動作データであるか否かを検出する。
【００５４】
ステップ２０６において、当該動作データが検証用物理動作にマッチングする動作データである場合、検証用物理動作に対応する予定操作を実行する権限を付与する。
【００５５】
上記をまとめて、当該実施例に係る操作権限付与方法は、ウェアラブルデバイスで採集された動作データを取得することにより、当該動作データが検証用物理動作にマッチングする動作データであるか否かを検出し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【００５６】
図３は、別の例示的な実施例に係る操作権限付与方法を示すフローチャートであり、当該実施例では、当該操作権限付与方法を図１に示した実施環境におけるウェアラブルデバイス１２０側に適用した例を挙げて説明し、図３に示すように、当該操作権限付与方法は、以下のステップを含む。
【００５７】
ステップ３０２において、動作データを採集する。
【００５８】
ステップ３０４において、当該動作データが検証用物理動作にマッチングする動作データであるか否かを検出するためのモバイル端末に動作データを提供し、当該動作データが検証用物理動作にマッチングする動作データである場合、検証用物理動作に対応する予定操作を実行する権限を付与する。
【００５９】
上記をまとめて、当該実施例に係る操作権限付与方法は、動作データを採集することにより、当該動作データが検証用物理動作にマッチングする動作データであるか否かを検出するためのモバイル端末に動作データを提供し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【００６０】
図４Ａは、他の例示的な実施例に係る操作権限付与方法を示すフローチャートであり、当該実施例では、当該操作権限付与方法を図１に示した実施環境におけるウェアラブルデバイス１２０及びモバイル端末１４０に適用し、且つ予定操作が本装置のプライバシー写真を確認するための操作を例に挙げて説明し、図４Ａに示すように、当該操作権限付与方法は、以下のステップを含む。
【００６１】
ステップ４０１において、モバイル端末が少なくとも１つの検証用物理動作、及び各検証用物理動作に対応する予定操作を予め記憶し、各検証用物理動作に対応する予定操作が同一または異なる。
【００６２】
例えば、ウェアラブルデバイスを１回振ることが１つの検証用物理動作であると記憶し、当該検証用物理動作がモバイル端末におけるプライバシーショートメッセージを確認する操作に対応付けられ、ウェアラブルデバイスを２回振ることが別の１つの検証用物理動作であると記憶し、当該検証用物理動作がモバイル端末における通話明細を確認する操作に対応付けられ、また、ウェアラブルデバイスを３回振ることが１つの検証用物理動作であると記憶し、当該検証用物理動作がモバイル端末におけるプライバシーショートメッセージを確認する操作に対応付けられるとともに、モバイル端末における通話明細を確認する操作にも対応付けられる。
【００６３】
ステップ４０２において、モバイル端末がバインディングしたウェアラブルデバイスに既に接続されたか否かを検出する。
【００６４】
モバイル端末は、ウェアラブルデバイスとの間にバインディング関係を予め確立してもよい。一般的に、モバイル端末は、バインディングしたウェアラブルデバイスとのみを接続し、バインディングしていないウェアラブルデバイスと接続しない。
【００６５】
モバイル端末は、現在、バインディングしたウェアラブルデバイスに既に接続されたか否かを検出することができる。
【００６６】
当該実施例において、予定操作が本装置のプライバシー写真を確認するための操作を例に挙げて説明し、ユーザがモバイル端末におけるプライバシー写真を確認する操作をトリガーする時に、モバイル端末が現在バインディングしたウェアラブルデバイスに既に接続されたか否かを検出する。
【００６７】
ステップ４０３において、バインディングしたウェアラブルデバイスに既に接続された場合、モバイル端末は、ウェアラブルデバイスで採集された動作データを取得する。
【００６８】
第１の実現可能な形態として、当該ステップ４０３は、以下のサブステップを含むが、これに限らない。
【００６９】
一、予め設定された検証用物理動作が存在する場合、モバイル端末は、ウェアラブルデバイスで採集された動作データを、直接に取得する。
【００７０】
ユーザがモバイル端末において当該予定操作に対応する検証用物理動作を予め設定した（当該実施例において、検証用物理動作は、ユーザがウェアラブルデバイスを３回叩くことを例とする）時に、モバイル端末の画面４０において、ユーザに当該検証用物理動作を入力させるように、図４Ｂに示したダイアログボックス４１を表示する。ユーザは、直接にウェアラブルデバイスを３回叩く。ウェアラブルデバイスは、採集したウェアラブルデバイスを３回叩く操作の動作データを、モバイル端末に送信する。モバイル端末は、ウェアラブルデバイスで採集された動作データを取得する。ここで、「直接に取得する」とは、モバイル端末が、ユーザに実行する必要な検証用物理動作の動作内容についてプロンプトメッセージを出力しなくてもよい。
【００７１】
説明すべきことは、異なる予定操作が異なる検証用物理動作に対応付けられてもよく、各予定操作に対応付けられた検証用物理動作は、モバイル端末によるデフォルト設定またはユーザによる手動設定で決められてもよい。
【００７２】
第２の実現可能な形態として、当該ステップ４０３は、以下のサブステップを含むが、これらに限らない。
【００７３】
一、予め設定した検証用物理動作が存在しない場合、モバイル端末が検証用物理動作をランダムに生成する。
【００７４】
ユーザまたはモバイル端末が当該予定操作に対応する検証用物理動作を予め設定していない時に、モバイル端末から１つの検証用物理動作をランダムに生成し、例えば、予め設定した物理動作ライブラリーから１つの物理動作をランダムに選択する。
【００７５】
当該実現形態において、ランダムに生成された検証用物理動作がウェアラブルデバイスを１回振る操作を例にして説明する。
【００７６】
二、モバイル端末は、ユーザに検証用物理動作を知らせる。
【００７７】
図４Ｃに示すように、モバイル端末の画面４０において１つのランダムに生成された検証用物理動作の領域４２が表示され、当該領域４２において、ランダムに生成された当該検証用物理動作がウェアラブルデバイスを１回振ることであると、ユーザに知らせるとともに、モバイル端末の画面４０において、ランダムに生成されたユーザに当該検証用物理動作を入力させるように、１つのダイアログボックス４３を表示する。
【００７８】
三、検証用物理動作を知らせた後、モバイル端末がウェアラブルデバイスで採集された動作データを取得する。
【００７９】
検証用物理動作を知らせた後、ユーザは、モバイル端末からのランダムに生成された検証用物理動作に従って、ウェアラブルデバイスを１回振る。ウェアラブルデバイスは、採集したウェアラブルデバイスを１回振る操作の動作データを、モバイル端末に送信する。モバイル端末は、ウェアラブルデバイスで採集された動作データを取得する。
【００８０】
説明すべきことは、ある予定操作を実行する必要がある場合、モバイル端末は、予め設定した当該予定操作に対応する検証物理操作が存在するか否かを検出することができ、存在した場合、第１の実現形態を選択して当該ステップを実行し、存在していない場合、第２の実現形態を選択して当該ステップを実行する。
【００８１】
説明すべきことは、バインディングしたウェアラブルデバイスに接続されていない場合、モバイル端末とバインディングしたウェアラブルデバイスとの接続を先ず確立する必要があり、その後、上記ステップ４０３を実行する。
【００８２】
ステップ４０４において、モバイル端末は、当該動作データが検証用物理動作にマッチングする動作データであるか否かを検出する。
【００８３】
モバイル端末がウェアラブルデバイスで採集された動作データを取得した後、モバイル端末は、当該動作データが検証用物理動作にマッチングする動作データであるか否かを検出する。
【００８４】
ステップ４０５において、当該動作データが検証用物理動作にマッチングする動作データである場合、検証用物理動作に対応する予定操作を実行する権限を付与する。
【００８５】
当該実施例において、当該動作データが検証用物理動作にマッチングする動作データであり、且つ予定操作が本装置で独立に実行される必要のある本装置のプライバシー写真を確認する操作であり、このため、モバイル端末は、検証用物理動作に対応する予定操作を実行する権限を付与することができる。すなわち、モバイル端末は、ユーザが本装置のプライバシー写真を確認することを許可する。
【００８６】
上記をまとめて、当該実施例に係る操作権限付与方法は、ウェアラブルデバイスで採集された動作データを取得することにより、当該動作データが検証用物理動作にマッチングする動作データであるか否かを検出し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【００８７】
説明すべきことは、ウェアラブルデバイスとモバイル端末とを接続する前に、ウェアラブルデバイスとモバイル端末との間のバインディング関係を予め確立する必要がある。
【００８８】
本発明を実現する過程において、ウェアラブルデバイスとモバイル端末との間のバインディング関係を確立する手段は、以下の３つの手段のいずれか１つであってもよい。
【００８９】
１つ目の手段において、図４Ｄに示すように、モバイル端末は、１つのバインディング物理動作を予めランダムに設定し、モバイル端末の画面４０における領域４２に当該バインディング物理動作を表示し、ユーザが当該バインディング物理動作に基づいてウェアラブルデバイスを操作し、ウェアラブルデバイスは、ユーザにより生成された動作データを採集するとともに、当該動作データをモバイル端末に送信し、モバイル端末がウェアラブルデバイスで採集された動作データを取得し、モバイル端末は、当該動作データがバインディング物理動作にマッチングする動作データであるか否かを検出し、当該動作データがバインディング物理動作にマッチングする動作データである場合、モバイル端末がウェアラブルデバイスとのバインディング関係を確立し、モバイル端末の画面４０上のプロンプトボックス４４において、当該ウェアラブルデバイスがバインディングされたと、ユーザに知らせる。
【００９０】
２つ目の手段において、図４Ｅに示すように、ウェアラブルデバイスの外殻またはパッケージに１つのＱＲコードを予め設定されてもよく、当該ＱＲコードは、ウェアラブルデバイスのＩＤに対応する。モバイル端末は、ウェアラブルデバイスのＱＲコードをスキャンするとともに、モバイル端末の画面４０上の領域４２において得られたウェアラブルデバイスのＩＤを表示することができ、モバイル端末は、ウェアラブルデバイスのＩＤ及びモバイル端末自体のデバイスＩＤをサーバーに送信し、サーバーは、ウェアラブルデバイスのＩＤ及びモバイル端末自体のデバイスＩＤに基づいて、ウェアラブルデバイスとモバイル端末との間のバインディング関係を確立し、最後、モバイル端末の画面４０におけるプロンプトボックス４４内に、当該ウェアラブルデバイスがバインディングされたと、ユーザに知らせる。
【００９１】
３つ目の手段において、図４Ｆに示すように、ユーザは、モバイル端末の画面４０上の領域４２においてウェアラブルデバイスのＩＤ及びユーザアカウントを入力し、モバイル端末は、サーバーに当該ウェアラブルデバイスのＩＤ及びユーザアカウントを送信し、サーバーは、ウェアラブルデバイスのＩＤに基づいて、ウェアラブルデバイスとユーザアカウントとをバインディングするとともに、ウェアラブルデバイスと、当該ユーザアカウントを使用したモバイル端末との間のバインディング関係を確立し、最後、モバイル端末の画面４０上のプロンプトボックス４４内に、当該ウェアラブルデバイスがバインディングされたと、ユーザに知らせる。
【００９２】
当該実施例において、1つ目の手段を採用してウェアラブルデバイスとモバイル端末との間のバインディング関係を確立してもよい。
【００９３】
図５は、さらに他の例示的な実施例に係る操作権限付与方法を示すフローチャートであり、当該実施例では、当該操作権限付与方法を図１に示した実施環境におけるウェアラブルデバイス１２０及びモバイル端末１４０に適用し、且つ予定操作がサーバーとインタラクティブに実行される支払い操作である例を挙げて説明し、図５に示すように、当該操作権限付与方法は、以下のステップを含む。
【００９４】
ステップ５０１において、モバイル端末が少なくとも１つの検証用物理動作、及び各検証用物理動作に対応する予定操作を予め記憶し、各検証用物理動作に対応する予定操作が同一または異なる。
【００９５】
例えば、ウェアラブルデバイスを１回振ることが１つの検証用物理動作であると記憶し、当該検証用物理動作がモバイル端末におけるプライバシーショートメッセージを確認する操作に対応付けられ、ウェアラブルデバイスを２回振ることが別の１つの検証用物理動作であると記憶し、当該検証用物理動作がモバイル端末における通話明細を確認する操作に対応付けられ、また、ウェアラブルデバイスを３回振ることが１つの検証用物理動作であると記憶し、当該検証用物理動作がモバイル端末におけるプライバシーショートメッセージを確認する操作に対応付けられるとともに、モバイル端末における通話明細を確認する操作にも対応付けられる。
【００９６】
ステップ５０２において、モバイル端末がバインディングしたウェアラブルデバイスに既に接続されたか否かを検出する。
【００９７】
モバイル端末は、ウェアラブルデバイスとの間にバインディング関係を予め確立してもよい。一般的に、モバイル端末は、バインディングしたウェアラブルデバイスとのみを接続し、バインディングしていないウェアラブルデバイスと接続しない。
【００９８】
モバイル端末は、現在、バインディングしたウェアラブルデバイスに既に接続されたか否かを検出することができる。
【００９９】
当該実施例において、予定操作が本装置のプライバシー写真を確認するための操作を例に挙げて説明し、ユーザがモバイル端末におけるプライバシー写真を確認する操作をトリガーする時に、モバイル端末が現在バインディングしたウェアラブルデバイスに既に接続されたか否かを検出する。
【０１００】
ステップ５０３において、バインディングしたウェアラブルデバイスに既に接続された場合、モバイル端末は、ウェアラブルデバイスで採集された動作データを取得する。
第１の実現可能な形態として、当該ステップ５０３は、以下のサブステップを含むが、これに限らない。
【０１０１】
一、予め設定された検証用物理動作が存在する場合、モバイル端末は、ウェアラブルデバイスで採集された動作データを、直接に取得する。
【０１０２】
ユーザがモバイル端末において当該予定操作に対応する検証用物理動作を予め設定した（当該実施例において、検証用物理動作は、ユーザがウェアラブルデバイスを３回叩くことを例とする）時に、モバイル端末の画面において、ユーザに当該検証用物理動作を入力させることを知らせる。ユーザは、直接にウェアラブルデバイスを３回叩く。ウェアラブルデバイスは、採集したウェアラブルデバイスを３回叩く操作の動作データを、モバイル端末に送信する。モバイル端末は、ウェアラブルデバイスで採集された動作データを取得する。ここで、「直接に取得する」とは、モバイル端末が、ユーザに実行する必要な検証用物理動作の動作内容についてプロンプトメッセージを出力しなくてもよい。
【０１０３】
説明すべきことは、異なる予定操作が異なる検証用物理動作に対応付けられてもよく、各予定操作に対応付けられた検証用物理動作は、モバイル端末によるデフォルト設定またはユーザによる手動設定で決められてもよい。
【０１０４】
第２の実現可能な形態として、当該ステップ５０３は、以下のサブステップを含むが、これらに限らない。
【０１０５】
一、予め設定した検証用物理動作が存在しない場合、モバイル端末が検証用物理動作をランダムに生成する。
【０１０６】
ユーザまたはモバイル端末が当該予定操作に対応する検証用物理動作を予め設定していない時に、モバイル端末から１つの検証用物理動作をランダムに生成し、例えば、予め設定した物理動作ライブラリーから１つの物理動作をランダムに選択する。
【０１０７】
当該実現形態において、ランダムに生成された検証用物理動作がウェアラブルデバイスを１回振る操作を例にして説明する。
【０１０８】
二、モバイル端末は、ユーザに検証用物理動作を知らせる。
【０１０９】
モバイル端末の画面において、ランダムに生成された検証用物理動作がウェアラブルデバイスを１回振ることをユーザに知らせるとともに、ユーザにランダムに生成された当該検証用物理動作を入力させることを知らせる。
【０１１０】
三、検証用物理動作を知らせた後、モバイル端末がウェアラブルデバイスで採集された動作データを取得する。
【０１１１】
検証用物理動作を知らせた後、ユーザは、モバイル端末からのランダムに生成された検証用物理動作に従って、ウェアラブルデバイスを１回振る。ウェアラブルデバイスは、採集したウェアラブルデバイスを１回振る操作の動作データを、モバイル端末に送信する。モバイル端末は、ウェアラブルデバイスで採集された動作データを取得する。
【０１１２】
説明すべきことは、ある予定操作を実行する必要がある場合、モバイル端末は、予め設定した当該予定操作に対応する検証物理操作が存在するか否かを検出することができ、存在した場合、第１の実現形態を選択して当該ステップを実行し、存在していない場合、第２の実現形態を選択して当該ステップを実行する。
【０１１３】
説明すべきことは、バインディングしたウェアラブルデバイスに接続されていない場合、モバイル端末とバインディングしたウェアラブルデバイスとの接続を先ず確立する必要があり、その後、上記ステップ５０３を実行する。
【０１１４】
ステップ５０４において、モバイル端末は、当該動作データが検証用物理動作にマッチングする動作データであるか否かを検出する。
【０１１５】
モバイル端末がウェアラブルデバイスで採集された動作データを取得した後、モバイル端末は、当該動作データが検証用物理動作にマッチングする動作データであるか否かを検出する。
【０１１６】
ステップ５０５において、当該動作データが検証用物理動作にマッチングする動作データである場合、ウェアラブルデバイスにより権限付与パスワードを取得する。
【０１１７】
当該実施例において、当該動作データが検証用物理動作にマッチングする動作データであり、且つ予定操作がサーバーとインタラクティブに実行される必要のある支払い操作である。このため、モバイル端末がウェアラブルデバイスにより権限付与パスワードを取得してもよい。
【０１１８】
第１の実現可能な形態として、当該ステップ５０５は、以下のサブステップを含むが、これらに限らない。
【０１１９】
一、モバイル端末は、サーバーから暗号化された権限付与パスワードを取得する。
【０１２０】
サーバーは、秘密鍵により暗号化された権限付与パスワードを生成し、モバイル端末は、サーバーから暗号化された権限付与パスワードを取得する。
【０１２１】
二、モバイル端末は、暗号化された権限付与パスワードをウェアラブルデバイスに送信する。
【０１２２】
モバイル端末は、当該暗号化された権限付与パスワードをウェアラブルデバイスに送信し、ウェアラブルデバイスは、秘密鍵を復号することにより、復号化された権限付与パスワードを取得するとともに、当該復号化された権限付与パスワードをモバイル端末に送信する。
【０１２３】
三、モバイル端末は、ウェアラブルデバイスで復号化された権限付与パスワードを取得する。
【０１２４】
第２の実現可能な形態として、当該ステップ５０５は、以下のサブステップを含むが、これらに限らない。
【０１２５】
一、モバイル端末は、ウェアラブルデバイスで生成された権限付与パスワードを取得する。
【０１２６】
当該動作データが検証用物理動作にマッチングする動作データである時に、モバイル端末がウェアラブルデバイスに１つの検証成功の指示を送信することができる。ウェアラブルデバイスが検証成功の指示を受信した後、所定プログラムにより１つの権限付与パスワードを生成し、その後、当該権限付与パスワードをモバイル端末に送信する。
【０１２７】
説明すべきことは、ウェアラブルデバイスで権限付与パスワードを取得する時に、権限付与パスワードがサーバーにより生成される必要となる場合、第１の実現形態を選択して当該ステップを実行し、権限付与パスワードがサーバーにより生成される必要のない場合、第２の実現形態を選択して当該ステップを実行する。
【０１２８】
ステップ５０６において、権限付与パスワードに従って、サーバーとインタラクティブに当該予定操作を実行する。
【０１２９】
モバイル端末は、ウェアラブルデバイスから権限付与パスワードを取得した後、当該権限付与パスワード、及びサーバーとインタラクティブに実行される必要のある支払い操作の要請をサーバーに送信する。サーバーは、当該権限付与パスワードが正しいか否かを検出し、当該権限付与パスワードが正しい場合、当該支払い操作を実行することを許可し、当該権限付与パスワードが正しくない場合、当該支払い操作を実行することを禁止する。
【０１３０】
上記をまとめて、当該実施例に係る操作権限付与方法は、ウェアラブルデバイスで採集された動作データを取得することにより、当該動作データが検証用物理動作にマッチングする動作データであるか否かを検出し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【０１３１】
当該実施例に係る操作権限付与方法は、またウェアラブルデバイスで権限付与パスワードを取得し、権限付与パスワードが漏洩しにくい効果を奏し、また、ウェアラブルデバイスが権限付与パスワードを取得するプロセスに関与することで、ユーザがモバイルインターネットを使用するセキュリティーを向上させる。
【０１３２】
説明すべきことは、ウェアラブルデバイスとモバイル端末とを接続する前に、ウェアラブルデバイスとモバイル端末との間のバインディング関係を予め確立する必要がある。
【０１３３】
本発明を実現する過程において、ウェアラブルデバイスとモバイル端末との間のバインディング関係を確立する手段は、上記実施例を参照することができ、当該実施例において繰り返し説明しない。
【０１３４】
当該実施例において、1つ目の手段を採用してウェアラブルデバイスとモバイル端末との間のバインディング関係を確立してもよい。
【０１３５】
補足して説明すべきことは、ステップ５０４において予定操作に対応する検証用物理動作は、ユーザにより予め設定されたものであってもよい。即ち、ステップ５０４の前に、モバイル端末は、さらに、以下のステップを含む。
【０１３６】
一、モバイル端末は、ユーザの設定命令を受信し、当該設定命令は、ある予定操作に対応する検証用物理動作を設定するために用いられる。
【０１３７】
例えば、モバイル端末が１０個の候補の検証用物理動作を表示し、その後、ユーザは、その中から１つの検証用物理動作を選択して、ある予定操作に対応する検証用物理動作とする。
【０１３８】
二、モバイル端末が予定操作と検証用物理動作との対応関係を記憶する。
【０１３９】
異なる予定操作は、異なる検証用物理動作に対応することができ、１つの予定操作は、複数の検証用物理動作に対応することができ、１つの検証用物理動作は、複数の予定操作に対応することができる。
【０１４０】
さらに、補足して説明すべきなことは、モバイル端末は、既にバインディングしたウェアラブルデバイスとのバインディングを解除してもよく、上記実施例における３つのバインディング関係を確立する手段に対応して、さらに、３つのバインディングを解除する手段を含み、それぞれ、以下のようである。
【０１４１】
１つ目の手段において、ウェアラブルデバイスが別の動作データを取得するとともに、当該別の動作データをモバイル端末に送信し、モバイル端末は、当該別の動作データが、バインディングを解除する物理動作に対応する動作データにマッチングするか否かを検出し、当該別の動作データがバインディングを解除する物理動作に対応する動作データにマッチングした場合、モバイル端末がウェアラブルデバイスとのバインディング関係を解除する。当該バインディングを解除する物理動作は、バインディング物理動作が設定された後に設定されてもよい。注意すべきことは、当該バインディングを解除する物理動作が成功に設定されると、変更することができない。
【０１４２】
２つ目の手段において、ウェアラブルデバイスの外殻またはパッケージの上に１つのＱＲコードを予め設定されてもよく、当該ＱＲコードは、ウェアラブルデバイスのＩＤに対応する。モバイル端末は、ウェアラブルデバイスのＱＲコードを再度スキャンするとともに、ウェアラブルデバイスのＩＤを得ることができ、モバイル端末は、ウェアラブルデバイスのＩＤ及びモバイル端末自体のデバイスＩＤの含まれるバインディングを解除する要請を、サーバーに送信し、サーバーは、ウェアラブルデバイスのＩＤ及びモバイル端末自体のデバイスＩＤに基づいて、ウェアラブルデバイスとモバイル端末との間のバインディング関係を解除する。
【０１４３】
３つ目の手段において、ユーザは、モバイル端末の画面においてウェアラブルデバイスのＩＤ及びユーザアカウントを再度入力し、モバイル端末は、サーバーに当該ウェアラブルデバイスのＩＤ及びユーザアカウントの含まれるバインディングを解除する要請を送信し、サーバーは、ウェアラブルデバイスのＩＤに基づいて、ウェアラブルデバイスとユーザアカウントとのバインディングを解除するととみに、ウェアラブルデバイスと、当該ユーザアカウントを使用したモバイル端末との間のバインディング関係を解除する。
【０１４４】
以下は、本発明に係る装置の実施例であり、本発明の方法の実施例を実行することに用いられる。本発明に係る装置の実施例に記載されていない詳細は、本発明に係る方法の実施例を参照するとよい。
【０１４５】
図６は、例示的な実施例に係る操作権限付与装置を示すブロック図であり、図６に示すように、当該操作権限付与装置は、ソフトウェア、ハードウェアまたは両方の組み合わせにより、図１に示すモバイル端末の全部または一部になるように実現することができ、当該装置は、
ウェアラブルデバイスで採集された動作データを取得するためのデータ取得モジュール６２０と、
当該動作データが検証用物理動作にマッチングする動作データであるか否かを検出するためのマッチング検出モジュール６４０と、
当該動作データが検証用物理動作にマッチングする動作データである場合、検証用物理動作に対応する予定操作を実行する権限を付与するための操作実行モジュール６６０と、を備える。
【０１４６】
上記をまとめて、当該実施例に係る操作権限付与装置は、ウェアラブルデバイスで採集された動作データを取得することにより、当該動作データが検証用物理動作にマッチングする動作データであるか否かを検出し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【０１４７】
図７は、別の例示的な実施例に係る操作権限付与装置を示すブロック図であり、図７に示すように、当該操作権限付与装置は、ソフトウェア、ハードウェアまたは両方の組み合わせにより、図１に示すウェアラブルデバイスの全部または一部になるように実現することができ、当該装置は、
動作データを採集するためのデータ採集モジュール７２０と、
当該動作データが検証用物理動作にマッチングする動作データであるか否かを検出するためのモバイル端末に動作データを提供し、当該動作データが検証用物理動作にマッチングする動作データである場合、検証用物理動作に対応する予定操作を実行する権限を付与するためのデータ提供モジュール７４０と、を備える。
【０１４８】
上記をまとめて、当該実施例に係る操作権限付与装置は、動作データを採集することにより、当該動作データが検証用物理動作にマッチングする動作データであるか否かを検出するためのモバイル端末に動作データを提供し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【０１４９】
図８は、他の例示的な実施例に係る操作権限付与装置を示すブロック図であり、図８に示すように、当該操作権限付与装置は、ソフトウェア、ハードウェアまたは両方の組み合わせにより、図１に示すモバイル端末の全部または一部になるように実現することができ、当該装置は、
ウェアラブルデバイスで採集された動作データを取得するためのデータ取得モジュール８１０と、
動作データが検証用物理動作にマッチングする動作データであるか否かを検出するためのマッチング検出モジュール８２０と、
動作データが検証用物理動作にマッチングする動作データである場合、検証用物理動作に対応する予定操作を実行する権限を付与するための操作実行モジュール８３０と、を備える。
【０１５０】
選択的に、操作実行モジュール８３０は、
予定操作が本装置で独立に実行される必要のある予定操作である場合、予定操作を直接に実行するための第１の実行サブモジュール８３１と、
予定操作がサーバーとインタラクティブに実行される必要のある予定操作である場合、ウェアラブルデバイスで権限付与パスワードを取得し、権限付与パスワードに基づいて、サーバーとインタラクティブに予定操作を実行するための第２の実行サブモジュール８３３と、を備える。
【０１５１】
選択的に、第２の実行サブモジュール８３３は、
サーバーから暗号化された権限付与パスワードを取得し、暗号化された権限付与パスワードをウェアラブルデバイスに送信し、ウェアラブルデバイスにより復号化された権限付与パスワードを取得するための第１のパスワードサブモジュール８３３１を備え、
或いは、
ウェアラブルデバイスにより生成された権限付与パスワードを取得するための第２のパスワードサブモジュール８３３３を備える。
【０１５２】
選択的に、データ取得モジュール８１０は、
予め設定された検証物理検証動作が存在する場合、ウェアラブルデバイスで採集された動作データを、直接に取得するための第１の取得サブモジュール８１１を備え、
または、
検証用物理動作をランダムに生成し、検証用物理動作をユーザに表示し、検証用物理動作を知らせた後、ウェアラブルデバイスで採集された動作データを取得するための第２の取得サブモジュール８１３を備える。
【０１５３】
選択的に、当該装置は、さらに、
バインディングしたウェアラブルデバイスに既に接続されたか否かを検出するためのバインディング検出モジュール８４０を備え、
バインディングしたウェアラブルデバイスに既に接続された場合、上記データ取得モジュール８１０は、ウェアラブルデバイスで採集された動作データを取得する。
【０１５４】
選択的に、当該装置は、さらに、
ウェアラブルデバイスとの間のバインディング関係を予め確立するための第１のバインディングモジュール８６０を備える。
【０１５５】
選択的に、第１のバインディングモジュール８６０は、
ウェアラブルデバイスの別の動作データを取得し、別の動作データがバインディング物理動作に対応する動作データにマッチングするか否かを検出し、別の動作データがバインディング物理動作に対応する動作データにマッチングした場合、ウェアラブルデバイスとのバインディング関係を確立するための第１のバインディングサブモジュール８６１、
或いは、
ウェアラブルデバイスのＱＲコードをスキャンしてウェアラブルデバイスのＩＤを取得し、ウェアラブルデバイスのＩＤ及び当該端末のデバイスＩＤをサーバーに送信し、サーバーが、ウェアラブルデバイスのＱＲコード及び当該端末のデバイスＩＤに基づいて、ウェアラブルデバイスと当該端末との間のバインディング関係を確立するための第２のバインディングサブモジュール８６３、
或いは、
サーバーにウェアラブルデバイスのＩＤ及びユーザアカウントを送信し、サーバーが、ウェアラブルデバイスのＩＤに基づいて、ウェアラブルデバイスとユーザアカウントとをバインディングするとともに、ウェアラブルデバイスと、ユーザアカウントを使用したモバイル端末との間のバインディング関係を確立するための第３のバインディングサブモジュール８６５を備える。
【０１５６】
選択的に、当該装置は、さらに、
少なくとも１つの検証用物理動作、及び各検証用物理動作に対応する予定操作を予め記憶するための事前記憶モジュール８８０を備え、各検証用物理動作に対応する予定操作が、同一または異なる。
【０１５７】
上記をまとめて、当該実施例に係る操作権限付与装置は、ウェアラブルデバイスで採集された動作データを取得することにより、当該動作データが検証用物理動作にマッチングする動作データであるか否かを検出し、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【０１５８】
当該実施例に係る操作権限付与装置は、またウェアラブルデバイスで権限付与パスワードを取得し、権限付与パスワードが漏洩しにくい効果を奏し、また、ウェアラブルデバイスが権限付与パスワードを取得するプロセスに関与することで、ユーザがモバイルインターネットを使用するセキュリティーを向上させる。
【０１５９】
図９は、さらに別の例示的な実施例に係る操作権限付与装置を示すブロック図であり、図９に示すように、当該操作権限付与装置は、ソフトウェア、ハードウェアまたは両方の組み合わせにより、図１に示すウェアラブルデバイスの全部または一部になるように実現することができ、当該装置は、
動作データを採集するためのデータ採集モジュール９１０と、
動作データが検証用物理動作にマッチングする動作データであるか否かを検出するためのモバイル端末に動作データを提供し、動作データが検証用物理動作にマッチングする動作データである場合、検証用物理動作に対応する予定操作を実行する権限を付与するためのデータ提供モジュール９２０と、を備える。
【０１６０】
選択的に、当該装置は、さらに、
当該動作データが検証用物理動作にマッチングする動作データである場合、モバイル端末に権限付与パスワードを提供し、モバイル端末が権限付与パスワードに基づいて、サーバーとインタラクティブに予定操作を実行するためのパスワード提供モジュール９３０を、備える。
【０１６１】
選択的に、パスワード提供モジュール９３０は、
モバイル端末によりサーバーから取得された暗号化された権限付与パスワードを受信し、暗号化された権限付与パスワードに対して復号化し、復号化された権限付与パスワードを取得し、復号化された権限付与パスワードをモバイル端末に送信するための第３のパスワードサブモジュール９３１を備え、
或いは、
権限付与パスワードを生成するとともに、権限付与パスワードをモバイル端末に送信するための第４のパスワードサブモジュール９３３を備える。
【０１６２】
選択的に、当該装置は、さらに、
モバイル端末との間のバインディング関係を予め確立するための第２のバインディングモジュール９４０を、備える。
【０１６３】
選択的に、第２のバインディングモジュール９４０は、
別の動作データを採集するためのデータ採集サブモジュール９４１と、
モバイル端末に別の動作データを送信し、モバイル端末は、別の動作データがバインディング物理動作に対応する動作データにマッチングするか否かを検出するために用いられ、別の動作データがバインディング物理動作に対応する動作データにマッチングした場合、ウェアラブルデバイスとのバインディング関係を確立するためのデータ送信サブモジュール９４３を備える。
【０１６４】
上記をまとめて、当該実施例に係る操作権限付与装置は、動作データを採集するによりモバイル端末に動作データを提供し、モバイル端末は、当該動作データが検証用物理動作にマッチングする動作データであるか否かを検出するために用いられ、当該動作データが検証用物理動作にマッチングする動作データである場合、検証用物理動作に対応する予定操作を実行する権限を付与する。これにより、ショートメッセージによりダイナミックな権利付与用パスワードを取得する操作が比較的複雑であり、且つダイナミックパスワードが漏洩するおそれがある問題を解決し、権限付与の認証プロセスを簡略化し、ウェアラブルデバイスで予定操作による権限付与の実行を完成することができ、ユーザの財産及びユーザのプライバシーを有力に保護し、ユーザがモバイル・インターネットを使用するセキュリティーを向上させる。
【０１６５】
当該実施例に係る操作権限付与装置は、またウェアラブルデバイスで権限付与パスワードを取得し、権限付与パスワードが漏洩しにくい効果を奏し、また、ウェアラブルデバイスが権限付与パスワードを取得するプロセスに関与することで、ユーザがモバイルインターネットを使用するセキュリティーを向上させる。
【０１６６】
上記の実施例に係る装置において、各モジュールが操作を実行する具体的な形態は、すでに当該方法に関する実施例において詳細に記載されたので、ここでは詳細に説明しない。
【０１６７】
図１０は、例示的な実施例に係る予定操作を実行するための装置１０００を示すブロック図である。当該装置は、モバイル端末に適用された例を挙げて説明し、例えば、装置１０００は、携帯電話、コンピュータ、デジタル放送端末、メッセージ送受信機器、ゲーム機、タブレット装置、医療機器、フィットネス機器、パーソナルデジタルアシスタントであってもよい。
【０１６８】
図１０に示すように、装置１０００は、処理アセンブリ１００２、メモリ１００４、電源アセンブリ１００６、マルチメディア・アセンブリ１００８、オーディオ・アセンブリ１０１０、入出力（Ｉ／Ｏ）インタフェース１０１２、センサ・アセンブリ１０１４、及び通信アセンブリ１０１６から選ばれる１つ以上のアセンブリを備えることができる。
【０１６９】
プロセスアセンブリ１００２は、一般的には装置１０００全体の操作を制御するものであり、例えば、表示、電話呼び出し、データ通信、カメラ操作、及び記録操作と関連する操作を制御する。プロセスアセンブリ１００２は、１つ以上のプロセッサ１０１８を含み、これらによって命令を実行することにより、上記の方法の全部、或いは一部のステップを実現するようにしてもよい。なお、プロセスアセンブリ１００２は、１つ以上のモジュールを含み、これらによってプロセスアセンブリ１００２と他のアセンブリの間のインタラクションを容易にするようにしてもよい。例えば、プロセスアセンブリ１００２は、マルチメディアモジュールを含み、これらによってマルチメディアアセンブリ１００８とプロセスアセンブリ１００２の間のインタラクションを容易にするようにしてもよい。
【０１７０】
メモリ１００４は、各種類のデータを記憶することにより装置１０００の操作を支援するように構成される。これらのデータの例は、装置１０００において操作されるいずれのアプリケーションプログラムまたは方法の命令、連絡対象データ、電話帳データ、メッセージ、画像、ビデオ等を含む。メモリ１００４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（  Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【０１７１】
電源アセンブリ１００６は、装置１０００のの多様なアセンブリに電力を供給する。電源アセンブリ１００６は、電源管理システム、１つ以上の電源、及び装置１０００のための電力の生成、管理及び割り当てに関連する他のアセンブリを含んでもよい。
【０１７２】
マルチメディアアセンブリ１００８は、前記装置１０００とユーザの間に１つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは１つ以上のタッチセンサを含んでおり、タッチ、スライド、及びタッチパネル上のジェスチャを検出することができる。前記タッチセンサは、タッチ、或いはスライドの動作の境界だけでなく、前記のタッチ、或いはスライド操作に係る継続時間及び圧力も検出できる。上記の実施例において、マルチメディアアセンブリ１００８は、１つのフロントカメラ、及び／またはリアカメラを含む。装置１０００が、例えば撮影モード、或いはビデオモード等の操作モードにある場合、フロントカメラ、及び／またはリアカメラは外部からマルチメディアデータを受信できる。フロントカメラとリアカメラのそれぞれは、１つの固定型の光レンズ系、或いは可変焦点距離と光学ズーム機能を有するものであってもよい。
【０１７３】
オーディオアセンブリ１０１０は、オーディオ信号を入出力するように構成されてもよい。例えば、オーディオアセンブリ１０１０は、１つのマイク（ＭＩＣ）を含み、装置１０００が、例えば呼出しモード、記録モード、及び音声認識モード等の操作モードにある場合、マイクは外部のオーディオ信号を受信することができる。受信されたオーディオ信号は、さらにメモリ１００４に記憶されたり、通信アセンブリ１０１６を介して送信されたりされる。上記の実施例において、オーディオアセンブリ１０１０は、オーディオ信号を出力するための１つのスピーカーをさらに含む。
【０１７４】
Ｉ／Ｏインターフェイス１０１２は、プロセスアセンブリ１００２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１７５】
センサアセンブリ１０１４は、装置１０００に各方面の状態に対する評価を提供するための１つ以上のセンサを含む。例えば、センサアセンブリ１０１４は、装置１０００のＯＮ／ＯＦＦ状態、装置１０００のディスプレイとキーパッドのようなアセンブリの相対的な位置決めを検出することができる。また、例えば、センサアセンブリ１０１４は、装置１０００、或いは装置１０００の１つのアセンブリの位置変更、ユーザと装置１０００とが接触しているか否か、装置１０００の方位、または加速／減速、及び装置１０００の温度の変化を検出することができる。センサアセンブリ１０１４は、何れの物理的接触がない状態にて付近の物体の存在を検出するための近接センサを含んでもよい。センサアセンブリ１０１４は、撮影アプリケーションに適用するため、ＣＭＯＳ、またはＣＣＤ図像センサのような光センサを含んでもよい。上記の実施例において、当該センサアセンブリ１０１４は、加速度センサ、ジャイロスコープセンサ、磁気センサ、圧力センサ、及び温度センサをさらに含んでもよい。
【０１７６】
通信アセンブリ１０１６は、端末１０００と他の機器の間に有線、または無線形態の通信を提供する。装置１０００は、例えばＷｉＦｉ、２Ｇ、３Ｇ、或いはこれらの組み合わせのような、通信規格に基づいた無線ネットワークに接続されてもよい。１つの例示的な実施例において、通信アセンブリ１０１６は、放送チャンネルを介して外部の放送管理システムからの放送信号、または放送に関連する情報を受信する。一例示的な実施例では、前記の通信アセンブリ１０１６は、さらに、近距離通信を促進するように、近距離無線通信（ＮＦＣ）モジュールを備える。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ）技術、他の技術に基づいて実現できる。
【０１７７】
例示的な実施例において、装置１０００は、１つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記図２または図４Ａに示す操作権限付与方法を実行する。
【０１７８】
例示的な実施例では、さらに、命令を含むコンピュータ読み取り可能な非一時的な記憶媒体、例えば、命令を含むメモリ１００４を提供しており、装置１０００のプロセッサ１０１８により前記命令を実行して上記方法を実現する。例えば、コンピュータ読み取り可能な非一時的な記憶媒体は、ＲＯＭ、ＲＡＭ、ＣＤ−ＲＯＭ、磁気テープ、フロッピーディスク、及び光データ記憶デバイスなどであってもよい。
【０１７９】
図１１は、別の例示的な実施例に係る予定操作を実行するための装置１１００を示すブロック図である。当該装置がウェアラブルデバイスに適用された例をあげて説明し、例えば、装置１１００は、スマート腕輪、スマートウォッチ、スマートブレスレット、スマートネックレス、スマートリングまたはスマート眼鏡などであってもよい。図１１に示すように、装置１１００は、さらに、受信器１１０２、送信器１１０４、センサアセンブリ１１０６、及び電源アセンブリ１１０８の中の１つ以上のアセンブリを備える。
【０１８０】
受信器１１０２は、転送媒体から信号を受信し、受信した信号に対してデコードする、又はそれを装置１１００を駆動可能な電気回路に変換することができ、当該装置１１００において転送媒体が一般的に無線である。
【０１８１】
送信器１１０４は、信号やデータを受信し、それを媒体による転送する形態の電気回路に変換することができ、当該装置において転送媒体が一般的に無線である。送信器１１０４は、装置１１００の操作を支援するために、アンテナを利用して無線電波を送信する。送信器１１０４は、アンテナに作用する交流電流を発生する。アンテナが無線電波を発生し、無線電波をスペースに送信する。送信器１１０４は、各種類の無線電を利用して通信する機器に幅広く用いられている。
【０１８２】
その中、受信器１１０２及び送信器１１０４は、ブルートゥース（Ｂｌｕｅｔｏｏｔｈ）４．０規格に準したブルートゥースチップにより実現されてもよい。
【０１８３】
センサアセンブリ１１０６は、装置１１００に各方面の状態に対する評価を提供するための１つ以上のセンサを含む。例えば、センサアセンブリ１１０６は、装置１１００のＯＮ／ＯＦＦ状態、アセンブリの相対的な位置決めを検出し、例えば、センサアセンブリ１１０６は、装置１１００の方位、または加速／減速、及び装置１１００の温度の変化を検出することができる。センサアセンブリ１１０６は、何れの物理的接触がない状態にて付近の物体の存在を検出するための近接センサを含んでもよい。当該センサアセンブリ１１０６は、光センサ、加速度センサ、ジャイロスコープセンサ、磁気センサ、圧力センサ、及び温度センサをさらに含んでもよい。
【０１８４】
電源アセンブリ１１０８は、装置１１００の各アセンブリに電力を供給する。電源アセンブリ１１０８は、電源管理システム、１つ以上の電源、及び装置１１００のための電力の生成、管理及び割り当てに関連する他のアセンブリを含んでもよい。
【０１８５】
例示的な実施例において、装置１１００は、上記図３または図５に示した操作権限付与方法を実行するために用いられることができる。
【０１８６】
本発明は、上記説明、及び図示された精確な構成に限定されず、本発明の範囲を逸脱しない限り、様々な修正と変更が可能であることを理解すべきである。本発明の範囲は、添付する特許要請の範囲にのみ制限される。
【国際調査報告】
2016541218.tif 000019
2016541218.tif 000020
2016541218.tif 000021
2016541218.tif 000022
2016541218.tif 000023
2016541218.tif 000024